(57)【要約】【課題】液化ガス貯蔵タンクを備えた船舶が開示される。【解決手段】前記船舶は、前記貯蔵タンクから排出される蒸発ガスの少なくとも一部を圧縮できる第１圧縮機；前記貯蔵タンクから排出される蒸発ガスの他の一部を圧縮する第２圧縮機；前記第１圧縮機又は前記第２圧縮機のうち少なくともいずれか一つによって圧縮された蒸発ガス中の一部を圧縮する推進圧縮機；前記推進圧縮機によって圧縮された蒸発ガスと前記貯蔵タンクから排出される蒸発ガスを熱交換させる第１熱交換器；前記第１圧縮機又は前記第２圧縮機のうち少なくともいずれか一つによって圧縮された蒸発ガス中の他の一部を膨張させる冷媒減圧装置；前記冷媒減圧装置によって膨張された流体を冷媒とし、前記推進圧縮機によって圧縮され、前記第１熱交換器で熱交換された蒸発ガスを冷却する第２熱交換器；前記冷媒減圧装置と前記第２熱交換器を通過した冷媒を圧縮する追加圧縮機；前記推進圧縮機によって圧縮されて前記第１熱交換器及び前記第２熱交換器で冷却された流体を膨張させる第１減圧装置；を備え、前記追加圧縮機は、前記冷媒減圧装置が流体を膨張させながら生産する動力によって駆動される。【選択図】図７
2017519672.tif 000002
【特許請求の範囲】
【請求項１】
液化ガス貯蔵タンクを備えた船舶において、
前記貯蔵タンクから排出される蒸発ガスの少なくとも一部を圧縮できる第１圧縮機；
前記貯蔵タンクから排出される蒸発ガスの他の一部を圧縮する第２圧縮機；
前記第１圧縮機又は前記第２圧縮機の少なくともいずれか一つによって圧縮された蒸発ガス中の一部を圧縮する推進圧縮機；
前記推進圧縮機によって圧縮された蒸発ガスと前記貯蔵タンクから排出される蒸発ガスを熱交換させる第１熱交換器；
前記第１圧縮機又は前記第２圧縮機の少なくともいずれか一つによって圧縮された蒸発ガス中の他の一部を膨張させる冷媒減圧装置；
前記冷媒減圧装置によって膨張された流体を冷媒とし、前記推進圧縮機によって圧縮されて前記第１熱交換器で熱交換された蒸発ガスを冷却する第２熱交換器；
前記冷媒減圧装置と前記第２熱交換器を通過した冷媒を圧縮する追加圧縮機；及び
前記推進圧縮機によって圧縮されて前記第１熱交換器及び前記第２熱交換器で冷却された流体を膨張させる第１減圧装置；を備え、
前記追加圧縮機は、前記冷媒減圧装置が流体を膨張させながら生産する動力によって駆動されることを特徴とする船舶。
【請求項２】
前記推進圧縮機は、前記第１圧縮機によって圧縮された蒸発ガスのみ圧縮し、
前記冷媒減圧装置は、前記第２圧縮機によって圧縮された蒸発ガスのみ膨張させることを特徴とする請求項１に記載の船舶。
【請求項３】
前記追加圧縮機は、前記第２熱交換器を通過した冷媒を圧縮して、前記第２圧縮機に送ることを特徴とする請求項２に記載の船舶。
【請求項４】
前記追加圧縮機は、前記第２熱交換器を通過した冷媒を圧縮して、前記第１圧縮機及び前記第２圧縮機に送ることを特徴とする請求項２に記載の船舶。
【請求項５】
前記推進圧縮機は、前記第１圧縮機と前記第２圧縮機によって圧縮された蒸発ガス中の一部を圧縮し、
前記冷媒減圧装置は、前記第１圧縮機と前記第２圧縮機によって圧縮された蒸発ガス中の他の一部を膨張させることを特徴とする請求項１に記載の船舶。
【請求項６】
前記第２熱交換器は、前記冷媒減圧装置によって膨張された冷媒によって、前記冷媒減圧装置を通過する前の流体を冷却できることを特徴とする請求項１ないし請求項５のいずれか一つに記載の船舶。
【請求項７】
前記第１減圧装置を通過した流体から液化ガスと蒸発ガスを分離する気液分離器をさらに備え、
前記気液分離器によって分離された液化ガスは、前記貯蔵タンクに送られることを特徴とする請求項１ないし請求項５のいずれか一つに記載の船舶。
【請求項８】
前記第１圧縮機又は前記第２圧縮機の少なくともいずれか一つによって圧縮された蒸発ガス中の他の一部は、燃料需要先に供給されることを特徴とする請求項１ないし請求項５のいずれか一つに記載の船舶。
【請求項９】
前記冷媒は、少なくとも前記追加圧縮機、前記第２圧縮機、前記冷媒減圧装置、及び前記第２熱交換器を循環し、閉ループ冷媒サイクルを形成することを特徴とする請求項３に記載の船舶。
【請求項１０】
液化ガス貯蔵タンクを備えた船舶において、
前記貯蔵タンクから排出される蒸発ガスの少なくとも一部を圧縮できる第１圧縮機；
前記貯蔵タンクから排出される蒸発ガスの他の一部を圧縮する第２圧縮機；
前記第１圧縮機又は前記第２圧縮機の少なくともいずれか一つによって圧縮された蒸発ガス中の一部を圧縮する推進圧縮機；
前記第１圧縮機又は前記第２圧縮機の少なくともいずれか一つによって圧縮された蒸発ガス中の他の一部を膨張させる冷媒減圧装置；
前記冷媒減圧装置によって膨張された流体を冷媒とし、前記推進圧縮機によって圧縮された蒸発ガスを冷却する第２熱交換器；
前記冷媒減圧装置と前記第２熱交換器を通過した冷媒を圧縮する追加圧縮機；及び
前記推進圧縮機によって圧縮されて前記第２熱交換器で冷却された流体を膨張させる第１減圧装置；を備え、
前記追加圧縮機は、前記冷媒減圧装置が流体を膨張させながら生産する動力によって駆動されることを特徴とする船舶。
【請求項１１】
液化ガスを貯蔵する貯蔵タンクを備えた船舶の蒸発ガス処理システムにおいて、
前記貯蔵タンクから排出される蒸発ガスの一部を第１圧縮機によって圧縮した後、燃料需要先に送る第１供給ライン；
前記第１供給ラインから分岐されて、前記貯蔵タンクから排出される蒸発ガスの他の一部を第２圧縮機によって圧縮する第２供給ライン；
前記第１供給ラインから分岐されて、圧縮された蒸発ガスを推進圧縮機によってさらに圧縮した後、第１熱交換器、第２熱交換器、第１減圧装置を通過させて再液化する復帰ライン；
前記第２熱交換器と冷媒減圧装置を通過して冷却された蒸発ガスを再び前記第２熱交換器に送って冷媒として使用させる再循環ライン；と
前記第２圧縮機の上流に設置されて蒸発ガスを圧縮する追加圧縮機；を備え、
前記追加圧縮機は、前記冷媒減圧装置が流体を膨張させながら生産する動力によって駆動され、
前記第１熱交換器は、前記貯蔵タンクから排出された蒸発ガスを冷媒とし、前記推進圧縮機によって圧縮されて前記復帰ラインに沿って供給される蒸発ガスを熱交換させて冷却し、
前記第２熱交換器は、前記冷媒減圧装置を通過した蒸発ガスを冷媒とし、前記再循環ラインに沿って供給される蒸発ガス；と、前記復帰ラインに沿って供給される蒸発ガス；の両方を熱交換させて冷却させることを特徴とする船舶の蒸発ガス処理システム。
【請求項１２】
前記追加圧縮機は、前記第２供給ライン上に設置されることを特徴とする請求項１１に記載の船舶の蒸発ガス処理システム。
【請求項１３】
前記追加圧縮機は、前記冷媒減圧装置及び前記第２熱交換器の下流の前記再循環ライン上に設置されることを特徴とする請求項１１に記載の船舶の蒸発ガス処理システム。
【請求項１４】
前記冷媒減圧装置及び前記第２熱交換器の下流の再循環ラインと、前記第２圧縮機の上流の第２供給ラインの間を連結する第１追加ラインとを備えることを特徴とする請求項１２に記載の船舶の蒸発ガス処理システム。
【請求項１５】
蒸発ガスが、前記追加圧縮機、前記第２圧縮機、前記第２熱交換器、前記冷媒減圧装置、及び再び前記第２熱交換器を通過した後、前記第１追加ラインを経て、再び前記追加圧縮機に供給されて、閉ループの冷媒サイクルを形成することを特徴とする請求項１４に記載の船舶の蒸発ガス処理システム。
【請求項１６】
前記第１圧縮機によって圧縮された蒸発ガスと前記第２圧縮機によって圧縮された蒸発ガスが合流し、
一部は、前記復帰ラインに沿って再液化され、
他の一部は、前記再循環ラインに沿って、前記第２熱交換器、前記冷媒減圧装置及び再び前記第２熱交換器を通過した後、前記貯蔵タンクから排出されて前記第１熱交換器を通過した流体と合流し、
残りの一部は、前記燃料需要先に供給されることを特徴とする請求項１４に記載の船舶の蒸発ガス処理システム。
【請求項１７】
前記第１圧縮機によって圧縮された蒸発ガスは、一部は前記復帰ラインに沿って再液化され、残りの一部は前記燃料需要先で供給されて、
前記第２圧縮機によって圧縮された蒸発ガスは、前記再循環ラインに沿って、前記第２熱交換器、前記冷媒減圧装置及び再び前記第２熱交換器を通過した後、前記貯蔵タンクから排出されて前記第１熱交換器を通過した流体と合流することを特徴とする請求項１４に記載の船舶の蒸発ガス処理システム。
【請求項１８】
蒸発ガスが、前記第２圧縮機、前記第２熱交換器、前記冷媒減圧装置、再び前記第２熱交換器及び前記追加圧縮機を循環し、閉ループの冷媒サイクルを形成することを特徴とする請求項１３に記載の船舶の蒸発ガス処理システム。
【請求項１９】
前記追加圧縮機の下流の再循環ラインから分岐されて、前記第１圧縮機の上流の前記第１供給ラインと連結される第２追加ライン；
前記第１圧縮機の下流の第１供給ラインから分岐されて、前記冷媒減圧装置及び前記第２熱交換器の上流の再循環ラインと連結される第３追加ライン；及び
前記第２圧縮機の下流の第２供給ラインから分岐されて、前記推進圧縮機の上流の前記復帰ラインに連結される第４追加ライン；を備えることを特徴とする請求項１３に記載の船舶の蒸発ガス処理システム。
【請求項２０】
蒸発ガスが、前記第２圧縮機によって圧縮された後、前記再循環ラインに沿って、前記第２熱交換器、前記冷媒減圧装置、再び前記第２熱交換器及び前記追加圧縮機を通過して再び前記第２圧縮機に供給されて、閉ループの冷媒サイクルを形成することを特徴とする請求項１９に記載の船舶の蒸発ガス処理システム。
【請求項２１】
蒸発ガスが、前記第１圧縮機によって圧縮された後、前記第３の追加ラインと前記再循環ラインに沿って前記第２熱交換器に供給され、前記冷媒減圧装置、再び前記第２熱交換器及び前記追加圧縮機を通過して、前記第２追加ラインに沿って再び前記第１圧縮機に供給されて、閉ループの冷媒サイクルを形成することを特徴とする請求項１９に記載の船舶の蒸発ガス処理システム。
【請求項２２】
液化ガス貯蔵タンクから排出される蒸発ガスを二つに分岐させ、前記分岐された蒸発ガスの一方の流れは、第１圧縮機によって圧縮し、他方の流れは第２圧縮機によって圧縮し、
前記第１圧縮機によって圧縮された蒸発ガスは、推進圧縮機によってさらに圧縮した後、再液化させて前記貯蔵タンクに復帰させ、
前記第２圧縮機によって圧縮された蒸発ガスは、冷媒サイクルを循環させて前記第１圧縮機によって圧縮された蒸発ガスを冷却させる冷媒として使用し、
前記冷媒サイクルを循環する流体は、追加圧縮機によって圧縮されて前記第２圧縮機に供給されることを特徴とする方法。
【発明の詳細な説明】
【技術分野】
【０００１】
本発明は、船舶に関し、より詳細には、貯蔵タンクの内部で生成された蒸発ガスのうち、エンジンの燃料として使用されずに残った蒸発ガスを再液化するシステムを備えた船舶に関する。
【背景技術】
【０００２】
近年、液化天然ガス（Ｌｉｑｕｅｆｉｅｄ  Ｎａｔｕｒａｌ  Ｇａｓ、ＬＮＧ）などの液化ガスの消費量が世界的に急増している傾向にある。ガスを低温で液化させた液化ガスは、ガスに比べて体積が非常に減少するため、貯蔵及び移送効率が高まる長所がある。また、液化天然ガスをはじめとする液化ガスは、液化工程中に大気汚染物質の除去と減少ができ、燃焼時に大気汚染物質の排出が少なく、環境にやさしい燃料である。
【０００３】
液化天然ガスは、メタン（ｍｅｔｈａｎｅ）が主成分である天然ガスを約−１６２℃に冷却し液化させることで得られる無色透明な液体であり、天然ガスと比較して約１／６００の体積になる。したがって、天然ガスを液化させて移送すると、非常に効率的な移送が可能となる。
【０００４】
しかし、天然ガスの液化温度は常圧で−１６２℃の極低温であり、液化天然ガスは温度変化に敏感であるため、すぐ蒸発する。そのため、液化天然ガスを貯蔵する貯蔵タンクには断熱処理が行われるが、外部熱が貯蔵タンクに継続的に伝達され、液化天然ガスの輸送過程で貯蔵タンク内では、継続的に液化天然ガスが自然気化され、蒸発ガス（Ｂｏｉｌ−Ｏｆｆ  Ｇａｓ、ＢＯＧ）が発生する。これは、エタンなどの他の低温液化ガスにおいても同様である。
【０００５】
蒸発ガスは、損失の一つであって、輸送効率において重要な問題である。また、貯蔵タンク内に蒸発ガスが蓄積されると、タンク内圧が過度に上昇し、極端的な場合にはタンク破損の恐れもある。したがって、貯蔵タンク内で発生する蒸発ガスを処理するための様々な方法が研究され、最近では蒸発ガスの処理のために、蒸発ガスを再液化して貯蔵タンクに戻す方法、蒸発ガスを船舶のエンジンなどの燃料消費先のエネルギー源として使用する方法などが用いられている。
【０００６】
蒸発ガスを再液化する方法には、別の冷媒を用いた冷凍サイクルを備えて蒸発ガスを冷媒と熱交換して再液化する方法および別の冷媒がなく蒸発ガス自体を冷媒にして再液化する方法などがある。特に、後者の方法を採用したシステムを部分再液化システム（Ｐａｒｔｉａｌ  Ｒｅ−ｌｉｑｕｅｆａｃｔｉｏｎ  Ｓｙｓｔｅｍ、ＰＲＳ）という。
【０００７】
また、船舶に使用される一般的なエンジンのうち、天然ガスを燃料として使用できるエンジンは、ＤＦＤＥとＭＥ−ＧＩエンジンなどのガス燃料エンジンがある。
【０００８】
ＤＦＤＥは、４ストローク機関であり、比較的に低圧である６．５ｂａｒ程度の圧力を有する天然ガスを燃焼空気入口に注入して、ピストンが上がりながら圧縮するオットーサイクル（Ｏｔｔｏ  Ｃｙｃｌｅ）を採用している。
【０００９】
ＭＥ−ＧＩエンジンは、２ストローク機関であり、３００ｂａｒ近くの高圧天然ガスをピストンの上死点付近で燃焼室に直接噴射するディーゼルサイクル（Ｄｉｅｓｅｌ  Ｃｙｃｌｅ）を採用している。最近では、燃料効率と推進効率がより優秀なＭＥ−ＧＩエンジンへの関心が高まっている傾向にある。
【発明の概要】
【発明が解決しようとする課題】
【００１０】
本発明は、従来の部分再液化システムに比べて、向上された蒸発ガス再液化性能が発揮できるシステムを備えた船舶の提供を目的とする。
【課題を解決するための手段】
【００１１】
前記目的を達成するための本発明の一実施例によれば、液化ガス貯蔵タンクを備えた船舶において、前記貯蔵タンクから排出される蒸発ガスの少なくとも一部を圧縮できる第１圧縮機；前記貯蔵タンクから排出される蒸発ガスの他の一部を圧縮する第２圧縮機；前記第１圧縮機又は前記第２圧縮機のうち少なくともいずれか一つによって圧縮された蒸発ガス中の一部を圧縮する推進圧縮機；前記推進圧縮機によって圧縮された蒸発ガスと前記貯蔵タンクから排出される蒸発ガスを熱交換させる第１熱交換器；前記第１圧縮機又は前記第２圧縮機のうち少なくともいずれか一つによって圧縮された蒸発ガス中の他の一部を膨張させる冷媒減圧装置；前記冷媒減圧装置によって膨張された流体を冷媒とし、前記推進圧縮機によって圧縮され前記第１熱交換器で熱交換された蒸発ガスを冷却する第２熱交換器；前記冷媒減圧装置と前記第２熱交換器を通過した冷媒を圧縮する追加圧縮機；前記推進圧縮機によって圧縮されて前記第１熱交換器及び前記第２熱交換器で冷却された流体を膨張させる第１減圧装置；を備え、前記追加圧縮機は前記冷媒減圧装置が流体を膨張させながら生産する動力によって駆動されることを特徴とする船舶が提供される。
【００１２】
前記推進圧縮機は、前記第１圧縮機によって圧縮された蒸発ガスのみ圧縮し、前記冷媒減圧装置は、前記第２圧縮機によって圧縮された蒸発ガスのみ膨張させることができる。
【００１３】
前記追加圧縮機は、前記第２熱交換器を通過した冷媒を圧縮して、前記第２圧縮機に送ることができる。
【００１４】
前記追加圧縮機は、前記第２熱交換器を通過した冷媒を圧縮して、前記第１圧縮機及び前記第２圧縮機に送ることができる。
【００１５】
前記推進圧縮機は、前記第１圧縮機と前記第２圧縮機によって圧縮された蒸発ガス中の一部を圧縮し、前記冷媒減圧装置は、前記第１圧縮機と前記第２圧縮機によって圧縮された蒸発ガス中の他の一部を膨張させることができる。
【００１６】
前記第２熱交換器に送られた蒸発ガスは、前記第２熱交換器を１次的に通過して、前記冷媒減圧装置によって膨張された後、再び前記第２熱交換器に送られ、前記冷媒減圧装置によって膨張されて前記冷媒減圧装置で冷媒として使用される流体は、前記冷媒減圧装置を通過する前に前記第２熱交換器に送られた流体；前記推進圧縮機によって圧縮されて前記第１熱交換器によって冷却された蒸発ガス；の両方を冷却することができる。
【００１７】
前記船舶は、前記推進圧縮機、前記第１熱交換器、前記第２熱交換器及び前記第１減圧装置を通過し、一部再液化された液化ガスと気体状態で残っている蒸発ガスを分離する気液分離器をさらに備えることができ、前記気液分離器によって分離された液化ガスは、前記貯蔵タンクに送られ、前記気液分離器によって分離された蒸発ガスは、前記第１熱交換器に送られることができる。
【００１８】
前記推進圧縮機に送られる蒸発ガスの一部は、前記推進圧縮機の上流で分岐されて燃料需要先で供給され得る。
【００１９】
前記船舶は、蒸発ガスが、前記第２圧縮機、前記冷媒減圧装置、前記第２熱交換器、前記追加圧縮機を循環する閉ループ冷媒サイクルを形成することができる。
【００２０】
前記目的を達成するための本発明の他の実施例によれば、液化ガス貯蔵タンクを備えた船舶において、前記貯蔵タンクから排出される蒸発ガスの少なくとも一部を圧縮できる第１圧縮機；前記貯蔵タンクから排出される蒸発ガスの他の一部を圧縮する第２圧縮機；前記第１圧縮機又は前記第２圧縮機のうち少なくともいずれか一つによって圧縮された蒸発ガス中の一部を圧縮する推進圧縮機；前記第１圧縮機又は前記第２圧縮機のうち少なくともいずれか一つによって圧縮された蒸発ガス中の他の一部を膨張させる冷媒減圧装置；前記冷媒減圧装置によって膨張された流体を冷媒とし、前記推進圧縮機によって圧縮された蒸発ガスを冷却する第２熱交換器；前記冷媒減圧装置と前記第２熱交換器を通過した冷媒を圧縮する追加圧縮機；前記推進圧縮機によって圧縮された後、前記第２熱交換器で冷却された流体を膨張させる第１減圧装置；を備え、前記追加圧縮機は、前記冷媒減圧装置が流体を膨張させながら生産する動力によって駆動されることを特徴とする船舶が提供される。
【００２１】
前記目的を達成するための本発明のもう一つの実施例によれば、液化ガスを貯蔵する貯蔵タンクを備えた船舶の蒸発ガス処理システムにおいて、前記貯蔵タンクから排出される蒸発ガスの一部を第１圧縮機によって圧縮した後、燃料需要先に送る第１供給ライン；前記第１供給ラインから分岐されて、前記貯蔵タンクから排出される蒸発ガスの他の一部を第２圧縮機によって圧縮する第２供給ライン；前記第１供給ラインから分岐されて、圧縮された蒸発ガスを推進圧縮機によってさらに圧縮した後、第１熱交換器、第２熱交換器、第１減圧装置を通過させて再液化する復帰ライン；前記第２熱交換器と冷媒減圧装置を通過して冷却された蒸発ガスを再び前記第２熱交換器に送って冷媒として使用させる再循環ライン；前記第２圧縮機の上流に設置されて蒸発ガスを圧縮する追加圧縮機；を備え、前記追加圧縮機は前記冷媒減圧装置が流体を膨張させながら生産する動力によって駆動され、前記第１熱交換器は前記貯蔵タンクから排出された蒸発ガスを冷媒とし、前記推進圧縮機によって圧縮され前記復帰ラインに沿って供給される蒸発ガスを熱交換させて冷却し、前記第２熱交換器は前記冷媒減圧装置を通過した蒸発ガスを冷媒として、前記再循環ラインに沿って供給される蒸発ガス；と、前記復帰ラインに沿って供給される蒸発ガス；の両方を熱交換させて冷却することを特徴とする船舶の蒸発ガス処理システムが提供される。
【００２２】
前記追加圧縮機は、前記第２供給ライン上に設置され得る。
【００２３】
前記追加圧縮機は、前記冷媒減圧装置と前記第２熱交換器下流の前記再循環ライン上に設置され得る。
【００２４】
前記船舶の蒸発ガス処理システムは、前記冷媒減圧装置及び前記第２熱交換器下流の再循環ラインと、前記第２圧縮機の上流の第２供給ラインの間を連結する第１追加ラインとを備えることができる。
【００２５】
前記船舶の蒸発ガス処理システムは、蒸発ガスが前記追加圧縮機、前記第２圧縮機、前記第２熱交換器、前記冷媒減圧装置、再び前記第２熱交換器を通過した後、前記第１追加ラインを経て再び前記追加圧縮機に供給される閉ループの冷媒サイクルを形成することができる。
【００２６】
前記第１圧縮機によって圧縮された蒸発ガスと前記第２圧縮機によって圧縮された蒸発ガスが合流して、一部は前記復帰ラインに沿って再液化され、他の一部は前記再循環ラインに沿って、前記第２熱交換器、前記冷媒減圧装置および再び前記第２熱交換器を通過した後、前記貯蔵タンクから排出され前記第１熱交換器を通過した流体と合流し、残りの一部は前記燃料需要先に供給され得る。
【００２７】
前記第１圧縮機によって圧縮された蒸発ガスは、一部は前記復帰ラインに沿って再液化され、残りの一部は前記燃料需要先で供給されて、前記第２圧縮機によって圧縮された蒸発ガスは前記再循環ラインに沿って、前記第２熱交換器、前記冷媒減圧装置および再び前記第２熱交換器を通過した後、前記貯蔵タンクから排出され、前記第１熱交換器を通過した流体と合流することができる。
【００２８】
前記船舶の蒸発ガス処理システムは、蒸発ガスが、前記第２圧縮機、前記第２熱交換器、前記冷媒減圧装置、再び前記第２熱交換器及び前記追加圧縮機を循環する閉ループの冷媒サイクルを形成することができる。
【００２９】
前記船舶の蒸発ガス処理システムは、前記追加圧縮機の下流の再循環ラインから分岐されて、前記第１圧縮機の上流の前記第１供給ラインと連結される第２追加ライン；前記第１圧縮機の下流の第１供給ラインから分岐されて、前記冷媒減圧装置及び前記第２熱交換器の上流の再循環ラインと連結される第３追加ライン；前記第２圧縮機の下流の第２供給ラインから分岐されて前記推進圧縮機の上流の前記復帰ラインに連結される第４追加ライン；を備えることができる。
【００３０】
前記船舶の蒸発ガス処理システムは、蒸発ガスが前記第２圧縮機によって圧縮された後、前記再循環ラインに沿って、前記第２熱交換器、前記冷媒減圧装置、再び前記第２熱交換器および前記追加圧縮機を通過して再び前記第２圧縮機に供給される閉ループの冷媒サイクルを形成することができる。
【００３１】
前記船舶の蒸発ガス処理システムは、蒸発ガスが前記第１圧縮機によって圧縮された後、前記第３の追加ラインと前記再循環ラインに沿って前記第２熱交換器に供給されて、前記冷媒減圧装置、再び前記第２熱交換器及び前記追加圧縮機を通過して、前記第２追加ラインに沿って前記第１圧縮機に再び供給される閉ループの冷媒サイクルを形成することができる。
【００３２】
前記目的を達成するための本発明のもう一つの実施例によれば、液化ガス貯蔵タンクから排出される蒸発ガスを二つに分岐して、前記分岐された蒸発ガスのいずれかの流れは、第１圧縮機によって圧縮し、他の流れは第２圧縮機によって圧縮し、前記第１圧縮機によって圧縮された蒸発ガスは推進圧縮機によってさらに圧縮した後、再液化して前記貯蔵タンクに復帰させて、前記第２圧縮機によって圧縮された蒸発ガスは冷媒サイクルを循環させて前記第１圧縮機によって圧縮された蒸発ガスを冷却する冷媒として使用して、前記冷媒サイクルを循環する流体は、追加圧縮機によって圧縮された後、前記第２圧縮機に供給されることを特徴とする方法が提供される。
【発明の効果】
【００３３】
本発明は、既存の部分再液化システム（ＰＲＳ）に比べて、蒸発ガスが第２熱交換器による追加的な冷却過程を経た後、減圧されるため、再液化効率と再液化量を増加させることができる。特に、別の冷媒を利用する冷凍サイクルを使用しなくても、残る蒸発ガスの大部分または全部の再液化が可能であるため経済的である。
【００３４】
また、本発明によれば、蒸発ガスの排出量、船舶の運航速度によるエンジン負荷などに応じて冷媒流量と冷熱供給の流動的な制御が可能である。
【００３５】
本発明の一実施例によれば、既に設置されていた予備圧縮機を利用して再液化効率と再液化量を高めるため、船上空間の確保に貢献して、追加圧縮機の設置費用を削減することができる。特に、予備圧縮機によって圧縮された蒸発ガスだけでなく、主圧縮機によって圧縮された蒸発ガスも第２熱交換器で冷媒として使用できるようになって、第２熱交換器で冷媒として使用する蒸発ガスの流量を増加させることができるため、再液化効率と再液化量をさらに増加させることができる。
【００３６】
本発明の他の実施例によれば、第２圧縮機によって圧縮された後、第２熱交換器で冷媒として使用される流体の質量がより大きくなるため、第２熱交換器における再液化効率と再液化量を増加させることと、冷媒減圧装置が生産する動力を利用することが可能である。
【００３７】
また、本発明は、推進圧縮機をさらに備えて、再液化過程を経る蒸発ガスの圧力を高めることができ、再液化効率と再液化量をもっと増加させることができる。
【図面の簡単な説明】
【００３８】
【図１】従来の部分再液化システムを概略的に示した構成図である。
【図２】本発明の第１実施例に係る船舶の蒸発ガス処理システムを概略的に示した構成図である。
【図３】本発明の第２実施例に係る船舶の蒸発ガス処理システムを概略的に示した構成図である。
【図４】本発明の第３実施例に係る船舶の蒸発ガス処理システムを概略的に示した構成図である。
【図５】本発明の第４実施例に係る船舶の蒸発ガス処理システムを概略的に示した構成図である。
【図６】本発明の第５実施例に係る船舶の蒸発ガス処理システムを概略的に示した構成図である。
【図７】本発明の第６実施例に係る船舶の蒸発ガス処理システムを概略的に示した構成図である。
【図８】温度と圧力によるメタンの相変化を概略的に示したグラフである。
【図９】異なった圧力条件において、熱流量によるメタンの温度を各々示したグラフである。
【発明を実施するための形態】
【００３９】
以下、添付した図面を参照して、本発明の好適な実施例の構成と作用を詳細に説明する。本発明の船舶は、天然ガスを燃料として使用するエンジンを搭載した船舶と液化ガス貯蔵タンクを備えた船舶などに多様な応用と適用が可能である。また、下記実施例は、様々な形態として変形が可能であり、本発明の範囲は下記の実施例に限定されない。
【００４０】
後述する本発明の蒸発ガス処理システムは、低温液体貨物または液化ガスを貯蔵することができる貯蔵タンクが設置された全種類の船舶と海上構造物、すなわち、液化天然ガス運搬船、液化エタンガス（Ｌｉｑｕｅｆｉｅｄ  Ｅｔｈａｎｅ  Ｇａｓ）運搬船、ＬＮＧ−ＲＶなどの船舶をはじめ、ＬＮＧ−ＦＰＳＯ、ＬＮＧ−ＦＳＲＵなどの海上構造物に適用することができる。ただし、後述の実施例では、説明のため、代表的な低温液体貨物の液化天然ガスを例に挙げて説明する。
【００４１】
また、本発明の各ラインにおいての流体は、システムの運用条件に応じて、液体状態、気液混合状態、気体状態、超臨界流体の状態のいずれかの状態であり得る。
【００４２】
図１は、従来の部分再液化システムを概略的に示した構成図である。
【００４３】
図１を参照すると、従来の部分再液化システムで、液体貨物を貯蔵する貯蔵タンクで発生して排出される蒸発ガスは、配管に沿って移送されて蒸発ガス圧縮部（１０）で圧縮される。
【００４４】
貯蔵タンク（Ｔ）は、液化天然ガスなどの液化ガスを極低温状態で貯蔵できるように密封障壁および断熱障壁を備えているが、外部から伝達される熱を完全に遮断することはできなく、タンク内では液化ガスの蒸発が継続して行われ、タンク内圧が上昇し得るが、このような蒸発ガスによるタンク圧力の過度な上昇を防ぎ、適正なレベルの耐圧を維持するために貯蔵タンク内の蒸発ガスを排出させ、蒸発ガス圧縮部（１０）に供給する。
【００４５】
貯蔵タンクから排出されて蒸発ガス圧縮部（１０）で圧縮された蒸発ガスを第１ストリームと称し、圧縮された蒸発ガスの第１ストリームを第２ストリームと第３ストリームに分け、第２ストリームは液化させて貯蔵タンク（Ｔ）に復帰させるように構成し、第３ストリームは船内の推進用エンジンや発電用エンジンなどのガス燃料消費先に供給するように構成することができる。この場合、蒸発ガス圧縮部（１０）は燃料消費先の供給圧力まで蒸発ガスを圧縮することができ、第２のストリームは必要に応じて蒸発ガス圧縮部の全部または一部を経て分岐させることができる。燃料消費先の燃料必要量に応じて、第３のストリームに圧縮された蒸発ガスの全部を供給することもでき、第２ストリームに全量を供給して圧縮された蒸発ガスの全部を貯蔵タンクに復帰させることもできる。ガス燃料消費先は、高圧ガス噴射エンジン（例えば、ＭＤＴ社が開発したＭＥ−ＧＩエンジンなど）と低圧ガス噴射エンジン（例えば、Ｗａｒｔｓｉｌａ社のＸ−ＤＦエンジン（Ｇｅｎｅｒａｔｉｏｎ  Ｘ−Ｄｕａｌ  Ｆｕｅｌ  ｅｎｇｉｎｅ）など）をはじめ、ＤＦ−Ｇｅｎｅｒａｔｏｒ、ガスタービン、ＤＦＤＥなどを例に挙げることができる。
【００４６】
この際、圧縮された蒸発ガスの第２ストリームを液化させることができるように、熱交換器（２０）を設置し、貯蔵タンクから発生する蒸発ガスを圧縮された蒸発ガスの冷熱供給源として利用する。熱交換器（２０）を経て蒸発ガス圧縮部の圧縮過程での温度が上昇した圧縮された蒸発ガス、すなわち第２ストリームは冷却され、貯蔵タンクで発生して熱交換器（２０）に導入された蒸発ガスは、加熱されて蒸発ガス圧縮部（１０）に供給される。
【００４７】
圧縮前の蒸発ガスの流量が第２ストリームの流量より多いため、圧縮された蒸発ガスの第２ストリームは、圧縮前の蒸発ガスから冷熱の供給を受け、少なくとも一部が液化することができる。このように熱交換器では、貯蔵タンクから排出された直後の低温蒸発ガスと蒸発ガス圧縮部で圧縮された高圧状態の蒸発ガスを熱交換させて高圧蒸発ガスを液化させる。
【００４８】
熱交換器（２０）を経た第２ストリームの蒸発ガスは、膨張バルブや膨張機などの膨張手段（３０）を通過しながら減圧されながらさらに冷却され、気液分離器（４０）に供給される。液化された蒸発ガスは、気液分離器で気体成分と液体成分に分離され、液体成分、すなわち、液化天然ガスは、貯蔵タンクに復帰し、気体成分、すなわち、蒸発ガスは、貯蔵タンクから排出されて熱交換器（２０）と蒸発ガス圧縮部（１０）に供給される蒸発ガスの流れに合流したり、再び熱交換器（２０）に供給され、蒸発ガス圧縮部（１０）で圧縮された高圧状態の蒸発ガスを熱交換させる冷熱源として活用することもできる。もちろん、ガス燃焼装置（Ｇａｓ  Ｃｏｍｂｕｓｔｉｏｎ  Ｕｎｉｔ；ＧＣＵ）などに送られて燃焼させたり、ガス消費先（ガスエンジンを含む）に送られて消耗させることもできる。蒸発ガスの流れに合流する前、気液分離器で分離された気体をさらに減圧させるために、更に他の膨張手段（５０）が設置され得る。
【００４９】
図２は、本発明の第１実施例に係る船舶の蒸発ガス処理システムを概略的に示した構成図である。
【００５０】
図２を参照すると、本実施例のシステムは、貯蔵タンクに貯蔵された低温液体貨物から発生する蒸発ガス（Ｂｏｉｌ  Ｏｆｆ  Ｇａｓ）の供給を受け、蒸発ガスを冷媒として循環させる冷媒循環部（３００ａ）を構成したことを特徴とする。
【００５１】
このため、貯蔵タンクから冷媒循環部（３００ａ）に蒸発ガスを供給する冷媒供給ライン（ＣＳＬａ）が備えられ、冷媒供給ラインにはバルブ（４００ａ）が設けられ、冷媒循環部を循環できる十分な量の蒸発ガスが供給されると、冷媒供給ライン（ＣＳＬａ）を遮断し、冷媒循環部（３００ａ）は、閉ループ（ｃｌｏｓｅｄ  ｌｏｏｐ）で運用される。
【００５２】
前述した基本的な実施例と同様に、第１拡張実施例においても、貯蔵タンク（Ｔ）の低温液体貨物から発生する蒸発ガスを圧縮する第１圧縮機（１００ａ）が設けられる。貯蔵タンクで発生した蒸発ガスは、蒸発ガス供給ライン（ＢＬａ）に沿って、第１圧縮機（１００ａ）に導入される。
【００５３】
本実施例の貯蔵タンク（Ｔ）は、液体貨物の荷重が断熱層に直接加わらない独立タンク型（Ｉｎｄｅｐｅｎｄｅｎｔ  Ｔｙｐｅ）タンクまたは貨物の荷重が断熱層に直接加わるメンブレイン型（Ｍｅｍｂｒａｎｅ  Ｔｙｐｅ）タンクであり得る。独立型タンクの場合は、２ｂａｒｇ以上の圧力に耐えるように設計された圧力容器で使用することも可能である。
【００５４】
一方、本実施例では、蒸発ガスの再液化のためのラインだけを図示したが、第１圧縮機（１００ａ）で圧縮された蒸発ガスは、船舶又は海上構造物の推進用エンジンおよび発電用エンジンなどの燃料需要先に燃料として供給することができ、燃料消費量が蒸発ガスの全量を消費できるときには、再液化された蒸発ガスがないこともある。船舶が停泊しているなど、ガス燃料の消費量が少ない場合には、蒸発ガスの全量を蒸発ガス再液化ライン（ＲＬａ）に供給することもできる。
【００５５】
圧縮された蒸発ガスは蒸発ガス再液化ライン（ＲＬａ）に沿って第１熱交換器（２００ａ）に供給され、第１熱交換器（２００ａ）は蒸発ガス再液化ライン（ＲＬａ）と蒸発ガス供給ライン（ＢＬａ）にかけて設けられ、第１圧縮機（１００ａ）に導入される蒸発ガスと第１圧縮機（１００ａ）の少なくとも一部を経て圧縮された蒸発ガスを熱交換させる。圧縮過程で温度が高くなった蒸発ガスは、貯蔵タンクで発生して第１圧縮機（１００ａ）に導入される低温蒸発ガスと熱交換を介して冷却される。
【００５６】
第１熱交換器（２００ａ）の下流には、第２熱交換器（５００ａ）が設けられ、圧縮されて第１熱交換器（２００ａ）で熱交換された蒸発ガスは、冷媒循環部（３００ａ）を循環する蒸発ガスと熱交換を介してさらに冷却される。
【００５７】
冷媒循環部（３００ａ）は、貯蔵タンクから供給される蒸発ガスを圧縮する冷媒圧縮機（３１０ａ）と、冷媒圧縮機で圧縮された蒸発ガスを冷却する第１冷却器（３２０ａ）と、第１冷却器（３２０ａ）で冷却された蒸発ガスを減圧させて追加の冷却する冷媒減圧装置（３３０ａ）とを備える。冷媒減圧装置（３３０ａ）は、蒸発ガスを断熱膨張させて冷却する膨張バルブまたは膨張機であり得る。
【００５８】
冷媒減圧装置（３３０ａ）を経て冷却された蒸発ガスは、冷媒循環ライン（ＣＣＬａ）に沿って冷媒として第２熱交換器（５００ａ）に供給され、第２熱交換器（５００ａ）で、第１熱交換器（２００ａ）を経て供給された蒸発ガスと熱交換を介して蒸発ガスを冷却させることになる。第２熱交換器（５００ａ）を経た冷媒循環ライン（ＣＣＬａ）の蒸発ガスは、冷媒圧縮機（３１０ａ）に循環されて、前述した圧縮および冷却過程を経て冷媒循環ラインを循環することになる。
【００５９】
一方、第２熱交換器（５００ａ）で冷却された蒸発ガス再液化ライン（ＲＬａ）の蒸発ガスは、第１減圧装置（６００ａ）を経て減圧される。第１減圧装置（６００ａ）は、ジュール−トムソン（Ｊｏｕｌｅ−Ｔｈｏｍｓｏｎ）バルブなどの膨張バルブまたは膨張機であり得る。
【００６０】
減圧された蒸発ガスは、第１減圧装置（６００ａ）の下流の気液分離器（７００ａ）に供給されて気液分離され、気液分離器（７００ａ）で分離された液体、すなわち液化天然ガスは、貯蔵タンク（Ｔ）に供給されて再貯蔵される。
【００６１】
気液分離器（７００ａ）で分離された気体、すなわち蒸発ガスは、第２減圧装置（８００ａ）を経て、さらに減圧され、貯蔵タンク（Ｔ）から第１熱交換器（２００ａ）に導入される蒸発ガスの流れに合流したり、再び第１熱交換器（２００ａ）に供給されて第１圧縮機（１００ａ）で圧縮された高圧状態の蒸発ガスを熱交換させる冷熱供給源として活用することもできる。もちろん、ガス燃焼装置（Ｇａｓ  Ｃｏｍｂｕｓｔｉｏｎ  Ｕｎｉｔ；ＧＣＵ）などに送って燃焼させたり、燃料需要先（ガスエンジンを含む）に送って消耗させることもできる。
【００６２】
図３は、本発明の第２実施例に係る船舶の蒸発ガス処理システムを概略的に示した構成図である。
【００６３】
図３を参照すると本実施例は、冷媒循環部（３００ｂ）で、第１冷却器（３２０ｂ）から冷媒減圧装置（３３０ｂ）に導入される蒸発ガスを、冷媒減圧装置（３３０ｂ）で減圧された蒸発ガスと熱交換によって冷却させた後、冷媒減圧装置（３３０ｂ）に供給するように構成したものである。
【００６４】
蒸発ガスは冷媒減圧装置（３３０ｂ）を経て減圧されながら冷却されるため、冷媒減圧装置の下流の蒸発ガスは冷媒減圧装置の上流の蒸発ガスよりも温度が低く、本実施例では、この点を考慮して、冷媒減圧装置の上流の蒸発ガスを下流の蒸発ガスと熱交換させて冷却した後、減圧装置に導入させる。このため、図３に示した通り、第２熱交換器（５００ｂ）に冷媒減圧装置（３３０ｂ）の上流の蒸発ガスを供給することができる（図３のＡ部分）。必要に応じて冷媒減圧装置の上流と下流の蒸発ガスが熱交換することができる別の熱交換装置を追加的に構成することもできる。
【００６５】
以上で説明した通り、本実施例のシステムは、貯蔵タンクの液体貨物から発生する蒸発ガスを再液化して貯蔵することが可能であるため、液体貨物の輸送率を高めることができる。特に船内ガス消費先の燃料消費量が少ない場合でも、貯蔵タンクの圧力上昇を防ぐために、ガス燃焼装置（Ｇａｓ  Ｃｏｍｂｕｓｔｉｏｎ  Ｕｎｉｔ；ＧＣＵ）などで燃焼させて浪費される貨物の量を減らすことが可能であるため、エネルギーの浪費を防ぐことができる。
【００６６】
また、蒸発ガスを冷媒として循環させ、蒸発ガスの再液化のための冷熱源として活用することで、別の冷媒サイクルを構成しなくても、蒸発ガスを効果的に再液化させることができ、別の冷媒を供給する必要がないため、船内の空間確保に貢献し経済的である。また、冷媒サイクルの冷媒が足りなくなると、貯蔵タンクから補充することができ、円滑な冷媒補充が行われ、冷媒サイクルの効果的運用ができる。
【００６７】
前述のように、蒸発ガス自体の冷熱を多段階に利用して蒸発ガスを再液化することができるため、船内の蒸発ガス処理システムの構成を簡素化することができ、複雑な蒸発ガス処理装置の設置と運用費用を低減することができる。
【００６８】
図４は、本発明の第３実施例に係る船舶の蒸発ガス処理システムを概略的に示した構成図である。
【００６９】
図４を参照すると、本実施例における船舶は、貯蔵タンク（Ｔ）の下流に設置される第１熱交換器（１１０）；第１熱交換器（１１０）の下流に設置されて、貯蔵タンク（Ｔ）から排出された蒸発ガスを圧縮する第１圧縮機（１２０）と第２圧縮機（１２２）；第１圧縮機（１２０）によって圧縮された蒸発ガスの温度を下げる第１冷却器（１３０）；第２圧縮機（１２２）によって圧縮された蒸発ガスの温度を下げる第２冷却器（１３２）；第１圧縮機（１２０）の上流に設置される第１バルブ（１９１）；第１冷却器（１３０）の下流に設置される第２バルブ（１９２）；第２圧縮機（１２２）の上流に設置される第３バルブ（１９３）；第２冷却器（１３２）の下流に設置される第４バルブ（１９４）；第１熱交換器（１１０）によって冷却された蒸発ガスをさらに冷却する第２熱交換器（１４０）；第２熱交換器（１４０）を通過した蒸発ガスを膨張させた後、再び第２熱交換器（１４０）に送る冷媒減圧装置（１６０）；と、第２熱交換器（１４０）によってさらに冷却された蒸発ガスを膨張させる第１減圧装置（１５０）；を備える。
【００７０】
貯蔵タンク（Ｔ）で自然に発生し排出された蒸発ガスは、第１供給ライン（Ｌ１）に沿って燃料需要先（１８０）に供給される。第１熱交換器（１１０）は、第１供給ライン（Ｌ１）に設置されて、貯蔵タンク（Ｔ）から排出された直後の蒸発ガスから冷熱を回収する。本実施例における船舶は、燃料需要先（１８０）の上流に設置されて、燃料需要先（１８０）に送られる蒸発ガスの流量と開閉を調節する第１１バルブ（２０３）をさらに備えることができる。
【００７１】
第１熱交換器（１１０）は、貯蔵タンク（Ｔ）から排出される蒸発ガスの供給を受けて、復帰ライン（Ｌ３）に沿って第１熱交換器（１１０）に供給される蒸発ガスを冷却させる冷媒として使用する。復帰ライン（Ｌ３）上に蒸発ガスの流量と開閉を調節する第５バルブ（１９５）が設置され得る。
【００７２】
第１圧縮機（１２０）と第２圧縮機（１２２）は、第１熱交換器（１１０）を通過した蒸発ガスを圧縮する。第１圧縮機（１２０）は第１供給ライン（Ｌ１）上に設置されており、第２圧縮機（１２２）は第２供給ライン（Ｌ２）上に設置される。第２供給ライン（Ｌ２）は、第１圧縮機（１２０）の上流の第１供給ライン（Ｌ１）から分岐して第１圧縮機（１２０）の下流の第１供給ライン（Ｌ１）に連結される。また、第１圧縮機（１２０）と第２圧縮機（１２２）は、並列に設置され、同じ性能の圧縮機であり得る。
【００７３】
一般的に船舶には、第１圧縮機（１２０）と第１冷却器（１３０）が故障した場合に備えて、第２圧縮機（１２２）と第２冷却器（１３２）を追加的に設置する。従来は、第１圧縮機（１２０）または第１冷却器（１３０）が故障していない平常時には、第２圧縮機（１２２）と第２冷却器（１３２）を使用しなかった。
【００７４】
すなわち、従来は、第１圧縮機（１２０）または第１冷却器（１３０）が故障していない平常時には、第２圧縮機（１２２）の上流の第３バルブ（１９３）と第２冷却器（１３２）の下流の第４バルブ（１９４）を閉じて、蒸発ガスが第１圧縮機（１２０）と第１冷却器（１３０）を通過して燃料需要先（１８０）に供給されるように構成し、第１圧縮機（１２０）または第１冷却器（１３０）が故障した場合には、第２圧縮機（１２２）の上流の第３バルブ（１９３）と第２冷却器（１３２）の下流の第４バルブ（１９４）は開いて、第１圧縮機（１２０）の上流の第１バルブ（１９１）と第１冷却器（１３０）の下流の第２バルブ（１９２）は閉じて、蒸発ガスが第２圧縮機（１２２）と第２冷却器（１３２）を通過して燃料需要先（１８０）に供給されるように構成した。
【００７５】
本発明は、従来の船舶に設置されるにも関わらず使用されなかった第２圧縮機（１２２）と第２冷却器（１３２）を使用して蒸発ガスの再液化効率と再液化量を高めるためのものであり、第２圧縮機（１２２）によって圧縮された蒸発ガスを、一部は燃料需要先（１８０）に送り、他の一部は、第２熱交換器（１４０）で蒸発ガスをさらに冷却する冷媒として使用する。
【００７６】
図８は、温度と圧力によるメタンの相変化を概略的に示したグラフである。図８を参照すると、メタンは約−８０℃以上の温度および約５５ｂａｒ以上の圧力条件になると超臨界流体状態になる。すなわち、メタンの場合、約−８０℃、５５ｂａｒの状態が臨界点になる。超臨界流体の状態は、液体状態や気体状態と異なる第３の状態である。
【００７７】
また、臨界点以上の圧力で臨界点より低い温度になると、一般的な液体の状態とは異なる、高密度の超臨界流体状態と類似した状態になることができ、臨界点以上の圧力と臨界点以下の温度の蒸発ガスの状態を、以下、「高圧液体状態」という。
【００７８】
第１圧縮機（１２０）または第２圧縮機（１２２）によって圧縮された蒸発ガスは、圧縮された程度によって、気体状態または超臨界流体状態であり得る。
【００７９】
復帰ライン（Ｌ３）を介して第１熱交換器（１１０）に送られる蒸発ガスが気体状態である場合には、蒸発ガスは、第１熱交換器（１１０）を通過しながら温度が低くなって、液体と気体の混合状態になることができ、超臨界流体状態である場合には、第１熱交換器（１１０）を通過しながら温度が低くなって、「高圧液体状態」になり得る。
【００８０】
第１熱交換器（１１０）によって冷却された蒸発ガスは、第２熱交換器（１４０）を通過しながら温度がより低くなるが、第１熱交換器（１１０）を通過した蒸発ガスが液体と気体の混合状態である場合には、蒸発ガスは、第２熱交換器（１４０）を通過しながら温度がより低くなって、液体の割合がより高い混合状態又は液体状態になり、「高圧液体状態」である場合には、第２熱交換器（１４０）を通過しながら、温度がより低くなる。
【００８１】
また、第２熱交換器（１４０）を通過した蒸発ガスが「高圧液体状態」である場合にも、蒸発ガスは、第１減圧装置（１５０）を通過しながら圧力が低くなり、液体状態又は液体と気体の混合状態になる。
【００８２】
蒸発ガスが第１減圧装置（１５０）によって圧力が同様のレベル（図８のＰ）まで低くなっても、温度が高い状態で減圧された場合（図８のＸ→Ｘ′）より温度が低い状態で減圧された場合（図８のＹ→Ｙ′）に液体の割合がより高い混合状態になる。また、温度をもっと下げることが可能であれば、理論的に蒸発ガスを１００％再液化することも可能である（図８のＺ→Ｚ′）ことが分かる。したがって、第１減圧装置（１５０）を通過する前に、第２熱交換器（１４０）によって蒸発ガスをもう一回冷却すると、再液化効率と再液化量が高められる。
【００８３】
また、図４を参照すると、本実施例では、第１実施例と第２実施例では蒸発ガスをさらに冷却するための冷媒循環部（３００ａ、３００ｂ）を閉ループで構成したことに比べて、冷媒サイクルを開ループで構成したことに相違点がある。
【００８４】
第１実施例と第２実施例では、冷媒循環部（３００ａ、３００ｂ）を閉ループで構成して、冷媒圧縮機（３１０ａ、３１０ｂ）によって圧縮された蒸発ガスは第２熱交換器（５００ａ、５００ｂ）で冷媒として使用されるだけで、燃料需要先に送られることと再液化過程を経ることは不可能である。
【００８５】
一方、本実施例では、冷媒サイクルを開ループで構成して、第２圧縮機（１２２）によって圧縮された蒸発ガスが第１圧縮機（１２０）によって圧縮された蒸発ガスと合流した後、合流した蒸発ガスの一部は燃料需要先（１８０）に送られ、他の一部は再循環ライン（Ｌ５）に沿って第２熱交換器（１４０）の冷媒として使用され、残りの一部は復帰ライン（Ｌ３）に沿って再液化過程を経ることになる。
【００８６】
再循環ライン（Ｌ５）は、第１圧縮機（１２０）の下流の第１供給ライン（Ｌ１）から分岐して第１圧縮機（１２０）の上流の第１供給ライン（Ｌ１）に連結されるラインである。第１供給ライン（Ｌ１）から分岐された蒸発ガスが第２熱交換器（１４０）に送られる再循環ライン（Ｌ５）上には、蒸発ガスの流量と開閉を調節する第６バルブ（１９６）が設置され得る。
【００８７】
冷媒サイクルを開ループで構成した本実施例は、冷媒サイクルを閉ループで構成した第１実施例及び第２実施例に比べて、第１圧縮機（１２０）の下流ラインと第２圧縮機（１２２）の下流ラインが連結されるという点で大きな相違点がある。すなわち、本実施例では、第２圧縮機（１２２）の下流の第２供給ライン（Ｌ２）が第１圧縮機（１２０）の下流の第１供給ライン（Ｌ１）と連結されて、第２圧縮機（１２２）によって圧縮された蒸発ガスが第１圧縮機（１２０）によって圧縮された蒸発ガスと合流した後、第２熱交換器（１４０）、燃料需要先（１８０）または第１熱交換器（１１０）に送られる。本実施例では、第１圧縮機（１２０）の下流ラインと第２圧縮機（１２２）の下流ラインが連結される他の変形例をすべて含む。
【００８８】
したがって、本実施例によれば、船舶の運航速度が増加するなど、燃料需要先（１８０）からの需要が増加する場合には、第１圧縮機（１２０）によって圧縮された蒸発ガスだけでなく、第２圧縮機（１２２）によって圧縮された蒸発ガスも燃料需要先（１８０）に送ることができる。
【００８９】
しかし、一般的に、第１圧縮機（１２０）と第２圧縮機（１２２）は、燃料需要先（１８０）で要求される量の約１．２倍程度の容量を有するように設計されるため、第１圧縮機（１２０）の容量を超えて第２圧縮機（１２２）によって圧縮された蒸発ガスも燃料需要先（１８０）に送る必要になることは、ほとんど発生しない。むしろ貯蔵タンク（Ｔ）から排出された蒸発ガスを燃料需要先（１８０）で全部消費することができず、再液化しなければならない蒸発ガスが増加し、大量の蒸発ガスを再液化させるために大量の冷媒が必要な場合がより頻繁である。
【００９０】
本実施例によれば、圧縮機（１２０）によって圧縮された蒸発ガスだけでなく、第２圧縮機（１２２）によって圧縮された蒸発ガスも第２熱交換器（１４０）での熱交換冷媒として使用することができるため、第１熱交換器（１１０）を通過して復帰ライン（Ｌ３）に沿って第２熱交換器（１４０）に供給される蒸発ガスを、より多くの冷媒を利用して、より低い温度に冷却することができ、全体的な再液化効率と再液化量を増加させることができ、理論的には１００％再液化することも可能である。
【００９１】
一般的に、船舶に設置される圧縮機（１２０、１２２）の容量を決定する場合、燃料需要先（１８０）に蒸発ガスを供給するために必要な容量と、燃料需要先（１８０）の全部消費することができず残った蒸発ガスを再液化するために必要な容量とを考慮するが、本実施例によれば、第２圧縮機（１２２）を使用して再液化量を増加させることができるため、再液化に必要な容量を減少させることができ、小容量の圧縮機（１２０、１２２）を設置することができるようになる。圧縮機の容量が減少されると、装置の設置と運用にかかる費用を低減することができるという長所がある。
【００９２】
本実施例では、第１圧縮機（１２０）または第１冷却器（１３０）が故障していない平常時にも、第１バルブ（１９１）及び第２バルブ（１９２）だけでなく、第３バルブ（１９３）及び第４バルブ（１９４）も開いて、第１圧縮機（１２０）、第１冷却器（１３０）、第２圧縮機（１２２）、第２冷却器（１３２）をすべて稼働させ、第１圧縮機（１２０）または第１冷却器（１３０）が故障した場合には、再液化効率と再液化量を高めることを放棄し、第１バルブ（１９１）及び第２バルブ（１９２）を閉じて、第２圧縮機（１２２）と第２冷却器（１３２）を通過した蒸発ガスだけでシステムを運用する。
【００９３】
説明の便宜上、第１圧縮機（１２０）と第１冷却器（１３０）が主な役割をして、第２圧縮機（１２２）と第２冷却器（１３２）が補助的な役割をすることとして説明したが、第１圧縮機（１２０）と第２圧縮機（１２２）、第１冷却器（１３０）と第２冷却器（１３２）は、同じ役割を行い、一つの船舶に同じ役割をする圧縮機と冷却器を複数備えて、いずれかが故障した場合に、他の装備で代替できるという点で冗長性（Ｒｅｄｕｎｄａｎｃｙ）概念を満足する。以下、同様である。
【００９４】
したがって、第２圧縮機（１２２）または第２冷却器（１３２）が故障した場合にも、第１圧縮機（１２０）または第１冷却器（１３０）が故障した場合と同様に、再液化効率と再液化量を高めることを放棄し、第３バルブ（１９３）及び第４バルブ（１９４）を閉じて、第１圧縮機（１２０）と第１冷却器（１３０）を通過した蒸発ガスだけでシステムを運用する。
【００９５】
一方、貯蔵タンク（Ｔ）から排出される蒸発ガスの大部分または全部を燃料需要先（１８０）の燃料として使用することができるほどの高速で船舶が運航する場合には、再液化する蒸発ガスの量が非常に少ないことになる。したがって、船舶が高速で運航する場合には、第１圧縮機（１２０）または第２圧縮機（１２２）のいずれかのみ駆動させることもできる。
【００９６】
第１圧縮機（１２０）と第２圧縮機（１２２）は、燃料需要先（１８０）から必要とされる圧力に蒸発ガスを圧縮でき、燃料需要先（１８０）は蒸発ガスを燃料として駆動されるエンジン、発電機などであることができる。一例として、燃料需要先（１８０）が船舶推進用エンジンである場合、第１圧縮機（１２０）と第２圧縮機（１２２）は、蒸発ガスを約１０〜１００ｂａｒの圧力で圧縮できる。
【００９７】
また、第１圧縮機（１２０）と第２圧縮機（１２２）は、燃料需要先（１８０）がＭＥ−ＧＩエンジンである場合、蒸発ガスを約１５０ｂａｒないし４００ｂａｒの圧力で圧縮することができ、燃料需要先（１８０）がＤＦＤＥである場合、蒸発ガスを約６．５ｂａｒの圧力で圧縮することができ、燃料需要先（１８０）がＸ−ＤＦエンジンである場合、蒸発ガスを約１６ｂａｒの圧力で圧縮できる。
【００９８】
燃料需要先（１８０）は、様々な種類のエンジンが含まれるが、一例として、燃料需要先（１８０）がＸ−ＤＦエンジンとＤＦＤＥを備える場合、第１圧縮機（１２０）と第２圧縮機（１２２）は、Ｘ−ＤＦエンジンが必要とする圧力まで蒸発ガスを圧縮し、ＤＦＤＥの上流には、減圧装置を設置して、Ｘ−ＤＦエンジンが必要とする圧力まで圧縮された蒸発ガスの一部を、ＤＦＤＥが必要とする圧力まで下げてＤＦＤＥに供給することもできる。
【００９９】
そのほかにも、第１熱交換器（１１０）と第２熱交換器（１４０）における再液化効率と再液化量を高めるために、第１圧縮機（１２０）または第２圧縮機（１２２）によって、蒸発ガスの圧力が燃料需要先（１８０）から要求される圧力を超えるように蒸発ガスを圧縮し、燃料需要先（１８０）の上流には減圧装置を設置して、燃料需要先（１８０）が要求する圧力を超えるように圧縮された蒸発ガスの圧力を燃料需要先（１８０）が必要とする圧力まで下げた後、燃料需要先（１８０）に供給することもできる。
【０１００】
一方、第１圧縮機（１２０）と第２圧縮機（１２２）は、それぞれ多段圧縮機であり得る。図４は、１つの圧縮機（１２０または１２２）によって蒸発ガスを燃料需要先（１８０）から要求される圧力まで圧縮することが示されているが、第１圧縮機（１２０）と第２圧縮機（１２２）が多段圧縮機である場合、蒸発ガスは複数の圧縮シリンダーによって燃料需要先（１８０）から要求される圧力まで複数回圧縮され得る。
【０１０１】
第１圧縮機（１２０）と第２圧縮機（１２２）が多段圧縮機である場合、第１圧縮機（１２０）と第２圧縮機（１２２）の内部には、複数の圧縮シリンダーを直列に設置することができ、複数の圧縮シリンダーの下流には、複数の冷却器がそれぞれ設置され得る。
【０１０２】
本実施例の第１冷却器（１３０）は、第１圧縮機（１２０）の下流に設置されて、第１圧縮機（１２０）によって圧縮されて圧力だけでなく温度も上がった蒸発ガスを冷却する。本実施例の第２冷却器（１３２）は、第２圧縮機（１２２）の下流に設置されて、第２圧縮機（１２２）によって圧縮されて圧力だけでなく温度も上がった蒸発ガスを冷却する。第１冷却器（１３０）と第２冷却器（１３２）は、外部から流入した海水、真水や空気との熱交換によって蒸発ガスを冷却することができる。
【０１０３】
本実施例の第２熱交換器（１４０）は、第１熱交換器（１１０）によって冷却された後、復帰ライン（Ｌ３）に沿って第２熱交換器（１４０）に供給された蒸発ガスをさらに冷却して、本実施例の冷媒減圧装置（１６０）は、第２熱交換器（１４０）を通過した蒸発ガスを膨張させた後、再び第２熱交換器（１４０）に送る。
【０１０４】
すなわち、第２熱交換器（１４０）は、第１熱交換器（１１０）を通過して復帰ライン（Ｌ３）に沿って第２熱交換器（１４０）に供給される蒸発ガスを、冷媒減圧装置（１６０）によって膨張された蒸発ガスを冷媒として熱交換させて、さらに冷却する。
【０１０５】
本実施例の冷媒減圧装置（１６０）は、流体の圧力を下げるための様々な手段であることができ、冷媒減圧装置（１６０）を通過する直前の流体の状態と通過した直後の流体の状態は、システムの運用条件によって異なることがある。ただし、冷媒減圧装置（１６０）が膨張機である場合、冷媒減圧装置（１６０）の物理的な損傷を防止するために、冷媒減圧装置（１６０）を通過する直前の流体と通過した直後の流体は、気体状態で維持されることが好ましい。以下、同様である。
【０１０６】
冷媒減圧装置（１６０）を通過し第２熱交換器（１４０）で熱交換の冷媒として使用される蒸発ガスは、第１圧縮機（１２０）によって圧縮された蒸発ガスが第２圧縮機（１２２）によって圧縮された蒸発ガスと合流した後、合流した蒸発ガスの一部が再循環ライン（Ｌ５）に沿って第２熱交換器（１４０）に供給されて、第２熱交換器（１４０）で冷媒減圧装置（１６０）を通過した蒸発ガスを冷媒として熱交換されて冷却された後冷媒減圧装置（１６０）に供給されたものである。
【０１０７】
また、第１供給ライン（Ｌ１）から再循環ライン（Ｌ５）に沿って第２熱交換器（１４０）に供給される蒸発ガスは、第２熱交換器（１４０）から１次的に冷却され、冷媒減圧装置（１６０）によってさらに冷却された後、再び第２熱交換器（１４０）に送られ、冷媒として使用される。
【０１０８】
すなわち、第１圧縮機（１２０）によって圧縮された蒸発ガスが第２圧縮機（１２２）によって圧縮された蒸発ガスと合流し再循環ライン（Ｌ５）に沿って第２熱交換器（１４０）に供給される流れ；と、第１熱交換器（１１０）を通過し復帰ライン（Ｌ３）に沿って第２熱交換器（１４０）に供給される蒸発ガス；は両方、冷媒減圧装置（１６０）を通過した蒸発ガスを冷媒とし、熱交換されて冷却される。
【０１０９】
本実施例の第１減圧装置（１５０）は、復帰ライン（Ｌ３）上に設置されて、第１熱交換器（１１０）と第２熱交換器（１４０）によって冷却された蒸発ガスを膨張させる。第１圧縮機（１２０）によって圧縮された蒸発ガスは、第２圧縮機（１２２）によって圧縮された蒸発ガスと合流した後、一部分岐して、復帰ライン（Ｌ３）に沿って第１熱交換器（１１０）、第２熱交換器（１４０）と第１減圧装置（１５０）を通過し、一部または全部が再液化される。
【０１１０】
第１減圧装置（１５０）は、蒸発ガスを膨張させ、冷却できるすべての手段を備え、ジュール−トムソン（Ｊｏｕｌｅ−Ｔｈｏｍｓｏｎ）バルブなどの膨張バルブまたは膨張機であり得る。
【０１１１】
本実施例における船舶は、第１減圧装置（１５０）の下流の復帰ライン（Ｌ３）上に設置され、第１減圧装置（１５０）から排出される気液混合物を気体成分と液体成分に分離する気液分離器（１７０）を備えることができる。
【０１１２】
本実施例における船舶が気液分離器（１７０）を備えない場合は、第１減圧装置（１５０）を通過した液体または気液混合状態の蒸発ガスは、直ちに貯蔵タンク（Ｔ）に送られる。
【０１１３】
本実施例における船舶が気液分離器（１７０）を備える場合、第１減圧装置（１５０）を通過した蒸発ガスは気液分離器（１７０）に送られ、気体成分と液体成分に分離される。気液分離器（１７０）によって分離された液体成分は、復帰ライン（Ｌ３）に沿って貯蔵タンク（Ｔ）に復帰し、気液分離器（１７０）によって分離された気体成分は、気液分離器（１７０）から第１熱交換器（１１０）の上流の第１供給ライン（Ｌ１）まで延長される気体排出ライン（Ｌ４）に沿って、第１熱交換器（１１０）に供給される。
【０１１４】
本実施例における船舶が気液分離器（１７０）を備える場合、気液分離器（１７０）によって分離されて貯蔵タンク（Ｔ）に送られる液体の流量を調節する第７バルブ（１９７）；と気液分離器（１７０）によって分離されて第１熱交換器（１１０）に送られる気体の流量を調節する第８バルブ（１９８）；をさらに備えることができる。
【０１１５】
本実施例の第１ないし第８バルブ及び第１１バルブは（１９１、１９２、１９３、１９４、１９５、１９６、１９７、１９８、２０３）は、システムの運用状況を人が直接判断して、手動で調整することと、事前に設定された値によって開閉されるように自動的に調整することができる。
【０１１６】
本発明の一実施例に係る蒸発ガス再液化装置の作用を容易に説明するため、蒸発ガスの主要な流れを定義する。貯蔵タンク（Ｔ）で発生する蒸発ガスと気液分離器（１７０）から排出される気体が第１熱交換器（１１０）に供給される流れを第１流れ（１００）、第１熱交換器（１１０）から第１圧縮機（１２０）または第２圧縮機（１２２）に供給された後に第１圧縮機（１２０）または第２圧縮機（１２２）から排出され、燃料需要先（１８０）に供給される流れを第２流れ（１０２）、第１圧縮機（１２０）と第２圧縮機（１２２）の下流で第２流れ（１０２）から分岐して第２熱交換器（１４０）に供給される流れを第３流れ（１０４）、第１圧縮機（１２０）と第２圧縮機（１２２）の下流で第２流れ（１０２）から分岐して第１熱交換器（１１０）に供給される流れを第４流れ（１０６）、第１熱交換器（１１０）から第２熱交換器（１４０）に供給される流れを第５流れ（１０８）と定義する。第１流れ（１００）は第１熱交換器（１１０）を通過しながら第２流れ（１０２）になり、第４流れ（１０６）は第１熱交換器（１１０）を通過しながら第５流れ（１０８）になる。
【０１１７】
以下、図４を参照して、本発明の一実施例に係る蒸発ガス再液化のための装置の作用を説明する。
【０１１８】
液体状態の液化ガスを貯蔵する貯蔵タンク（Ｔ）で生成された気体状態の蒸発ガスは、第１熱交換器（１１０）に供給される。この時、貯蔵タンク（Ｔ）で生成された気体状態の蒸発ガスは、システムの動作後、一定時間が経過した後、気液分離器（１７０）から排出される気体状態の蒸発ガスと合流し第１流れ（１００）を形成する。最終的に第１熱交換器（１１０）に供給される蒸発ガスは、第１流れ（１００）である。
【０１１９】
第１熱交換器（１１０）は、第１流れ（１００）が持っている冷熱を回収して、他の蒸発ガスを冷却する役割をする。すなわち、第１熱交換器（１１０）は、第１流れ（１００）が持っている冷熱を回収して、第２流れ（１０２）のうち第１熱交換器（１１０）に再供給される流れ、すなわち、第４流れ（１０６）に回収した冷熱を提供する。
【０１２０】
したがって、第１熱交換器（１１０）では第１流れ（１００）と第４流れ（１０６）との間の熱交換が行われ、第１流れ（１００）は加熱され、第４流れ（１０６）は冷却される。加熱された第１流れ（１００）は第２流れ（１０２）になり、冷却された第４流れ（１０６）は第５流れ（１０８）となる。
【０１２１】
第１熱交換器（１１０）から排出される第２流れ（１０２）は、第１圧縮機（１２０）または第２圧縮機（１２２）に供給されて、第１圧縮機（１２０）または第２圧縮機（１２２）によって圧縮される。
【０１２２】
第１圧縮機（１２０）によって圧縮された蒸発ガスと第２圧縮機（１２２）によって圧縮された蒸発ガスが合流した第２流れ（１０２）は、一部は第３流れ（１０４）として第２熱交換器（１４０）に冷媒として供給されて、他の一部は、第４流れ（１０６）として第１熱交換器（１１０）に供給されて冷却され、残りの一部は、燃料需要先（１８０）に供給される。
【０１２３】
第２熱交換器（１４０）に供給される第３流れ（１０４）は、第２熱交換器（１４０）から排出されて冷媒減圧装置（１６０）で膨張された後、再び第２熱交換器（１４０）に供給される。このとき、１次的に第２熱交換器（１４０）に供給された第３流れ（１０４）は、冷媒減圧装置（１６０）で膨張された後、再び第２熱交換器（１４０）に供給される第３流れ（１０４）と熱交換されて冷却される。冷媒減圧装置（１６０）と第２熱交換器（１４０）を通過した第３流れ（１０４）は、第１熱交換器（１１０）から排出される第２流れ（１０２）と合流して、第１圧縮機（１２０）または第２圧縮機（１２２）に供給される。
【０１２４】
第１熱交換器（１１０）で第１流れ（１００）と熱交換して冷却された第４流れ（１０６）は、第５流れ（１０８）になって第２熱交換器（１４０）に供給される。第２熱交換器（１４０）に供給された第５流れ（１０８）は、冷媒減圧装置（１６０）を通過した第３流れ（１０４）と熱交換されて冷却された後、第１減圧装置（１５０）を通過しながら膨張される。第１減圧装置（１５０）を通過した第５流れ（１０８）は、気体と液体が混合された気液混合物状態になる。
【０１２５】
気液混合物状態の第５流れ（１０８）は、直ちに貯蔵タンク（Ｔ）に送られるか、気液分離器（１７０）を通過しながら気体成分と液体成分に分離される。気液分離器（１７０）によって分離された液体成分は、貯蔵タンク（Ｔ）に供給され、気液分離器（１７０）によって分離された気体成分は、再び第１熱交換器（１１０）に供給され、前記過程を繰り返すことになる。
【０１２６】
図５は、本発明の第４実施例に係る船舶の蒸発ガス処理システムを概略的に示した構成図である。
【０１２７】
図５に図示された第４実施例における船舶は、図４に示された第３実施例における船舶に比べて、第２供給ライン（Ｌ２）に設置される追加圧縮機（１２４）及び追加冷却器（１３４）と、復帰ライン（Ｌ３）に設置される推進圧縮機（１２６）と推進冷却器（１３６）とをさらに含むという点、第９バルブ（２０１）、第１０バルブ（２０２）、第１２バルブ（２０５）及び第１追加ライン（Ｌ６）をさらに備え、蒸発ガスが流れる一部のラインを変更して、冷媒サイクルを閉ループで運用すること又は開ループで運用することもできるように構成したことに相違点があり、以下では相違点を中心に説明する。前述した第３実施例における船舶と同じ部材については、詳細な説明を省略する。
【０１２８】
図５を参照すると、本実施例における船舶は、第３実施例と同様に、第１熱交換器（１１０）、第１バルブ（１９１）、第１圧縮機（１２０）、第１冷却器（１３０）、第２バルブ（１９２）、第３バルブ（１９３）、第２圧縮機（１２２）、第２冷却器（１３２）、第４バルブ（１９４）、第２熱交換器（１４０）、冷媒減圧装置（１６０）および第１減圧装置（１５０）を備える。
【０１２９】
本実施例の貯蔵タンク（Ｔ）は、第３実施例と同様に、内部に液化天然ガス、液化エタンガスなどの液化ガスを貯蔵し、内部の圧力が所定以上になると蒸発ガスを外部に排出する。貯蔵タンク（Ｔ）から排出される蒸発ガスは、第１熱交換器（１１０）に送られる。
【０１３０】
本実施例の第１熱交換器（１１０）は、第３実施例と同様に、貯蔵タンク（Ｔ）から排出された蒸発ガスを冷媒として使用して、復帰ライン（Ｌ３）に沿って第１熱交換器（１１０）で送られた蒸発ガスを冷却する。すなわち、第１熱交換器（１１０）は、貯蔵タンク（Ｔ）から排出された蒸発ガスの冷熱を回収して、回収した冷熱を復帰ライン（Ｌ３）に沿って第１熱交換器（１１０）に送られた蒸発ガスに供給する。復帰ライン（Ｌ３）上には蒸発ガスの流量と開閉を調節する第５バルブ（１９５）が設置され得る。
【０１３１】
本実施例の第１圧縮機（１２０）は、第３実施例と同様に、第１供給ライン（Ｌ１）上に設置されて貯蔵タンク（Ｔ）から排出された蒸発ガスを圧縮し、本実施例の第２圧縮機（１２２）は、第３実施例と同様に、第２供給ライン（Ｌ２）上に第１圧縮機（１２０）と並列に設置されて貯蔵タンク（Ｔ）から排出された蒸発ガスを圧縮する。第１圧縮機（１２０）と第２圧縮機（１２２）は、同じ性能の圧縮機であること、または、それぞれ多段圧縮機であることができる。
【０１３２】
本実施例の第１圧縮機（１２０）と第２圧縮機（１２２）は、第３実施例と同様に、燃料需要先（１８０）から要求される圧力まで蒸発ガスを圧縮することができる。また、燃料需要先（１８０）は、複数種類のエンジンを備えた場合には、より高い圧力を必要とするエンジン（以下、「高圧エンジン」という。）の要求圧力に合わせて蒸発ガスを圧縮した後、一部は高圧エンジンに供給し、他の一部は、より低い圧力を必要とするエンジン（以下、「低圧エンジン」という。）の上流に設置された減圧装置により減圧させて低圧エンジンに供給することができる。そのほかにも、第１熱交換器（１１０）と第２熱交換器（１４０）における再液化効率と再液化量を高めるために、蒸発ガスを第１圧縮機（１２０）または第２圧縮機（１２２）によって燃料需要先（１８０）から要求される圧力以上の高圧で圧縮し、燃料需要先（１８０）の上流には減圧装置を設置して、高圧で圧縮された蒸発ガスの圧力を燃料需要先（１８０）が要求する圧力まで下げた後、燃料需要先（１８０）に供給することもできる。
【０１３３】
本実施例における船舶は、第３実施例と同様に、燃料需要先（１８０）の上流に設置されて、燃料需要先（１８０）に送られる蒸発ガスの流量と開閉を調節する第１１バルブ（２０３）をさらに備えることができる。
【０１３４】
本実施例における船舶は、第３実施例と同様に、第２圧縮機（１２２）によって圧縮された蒸発ガスを第２熱交換器（１４０）で蒸発ガスをさらに冷却する冷媒として使用するため、再液化効率と再液化量を高めることができる。
【０１３５】
本実施例の第１冷却器（１３０）は、第３実施例と同様に、第１圧縮機（１２０）の下流に設置されて、第１圧縮機（１２０）を通過して圧力だけでなく温度も上がった蒸発ガスを冷却する。本実施例の第２冷却器（１３２）は、第３実施例と同様に、第２圧縮機（１２２）の下流に設置されて第２圧縮機（１２２）を通過し圧力だけでなく温度も上がった蒸発ガスを冷却する。
【０１３６】
本実施例の第２熱交換器（１４０）は、第３実施例と同様に、復帰ライン（Ｌ３）に沿って第１熱交換器（１１０）に供給されて、第１熱交換器（１１０）によって冷却された蒸発ガスをさらに冷却する。
【０１３７】
本実施例によれば、第３実施例と同様に、貯蔵タンク（Ｔ）から排出された蒸発ガスが第１熱交換器（１１０）だけでなく、第２熱交換器（１４０）でさらに冷却されて、より低い温度の状態で第１減圧装置（１５０）に供給されることができるため、再液化効率と再液化量が高くなる。
【０１３８】
本実施例の冷媒減圧装置（１６０）は、第３実施例と同様に、第２熱交換器（１４０）を通過した蒸発ガスを膨張させた後、再び第２熱交換器（１４０）に送る。
【０１３９】
本実施例の第１減圧装置（１５０）は、第３実施例と同様に、復帰ライン（Ｌ３）上に設置されて、第１熱交換器（１１０）と第２熱交換器（１４０）によって冷却された蒸発ガスを膨張させる。本実施例の第１減圧装置（１５０）は、蒸発ガスを膨張させて冷却することができるすべての手段を備え、ジュール−トムソン（Ｊｏｕｌｅ−Ｔｈｏｍｓｏｎ）バルブなどの膨張バルブまたは膨張機であり得る。
【０１４０】
本実施例における船舶は、第３実施例と同様に、第１減圧装置（１５０）の下流の復帰ライン（Ｌ３）上に設置され、第１減圧装置（１５０）から排出される気液混合物を気体成分と液体成分に分離する気液分離器（１７０）を備えることができる。
【０１４１】
第３実施例と同様に、本実施例における船舶が気液分離器（１７０）を備えない場合には、第１減圧装置（１５０）を通過した液体状態または気液混合状態の蒸発ガスは直ちに貯蔵タンク（Ｔ）に送られ、本実施例における船舶が気液分離器（１７０）を備える場合には、第１減圧装置（１５０）を通過した蒸発ガスは、気液分離器（１７０）に送られ、気体成分と液体成分に分離される。気液分離器（１７０）によって分離された液体成分は復帰ライン（Ｌ３）に沿って貯蔵タンク（Ｔ）に復帰して、気液分離器（１７０）によって分離された気体成分は気液分離器（１７０）から第１熱交換器（１１０）の上流の第１供給ライン（Ｌ１）まで延長される気体排出ライン（Ｌ４）に沿って、第１熱交換器（１１０）に供給される。
【０１４２】
本実施例における船舶が気液分離器（１７０）を備える場合、第３実施例と同様に、気液分離器（１７０）によって分離されて貯蔵タンク（Ｔ）に送られる液体の流量を調節する第７バルブ（１９７）；と気液分離器（１７０）によって分離されて第１熱交換器（１１０）に送られる気体の流量を調節する第８バルブ（１９８）；をさらに備えることができる。
【０１４３】
ただし、本実施例における船舶は、第３実施例とは異なり、第２供給ライン（Ｌ２）上に設置される追加圧縮機（１２４）；追加圧縮機（１２４）の下流に設置される追加冷却器（１３４）；復帰ライン（Ｌ３）上に設置される推進圧縮機（１２６）；推進圧縮機（１２６）の下流に設置される推進冷却器（１３６）；再循環ライン（Ｌ５）と第２供給ライン（Ｌ２）との間を連結する第１追加ライン（Ｌ６）；再循環ライン（Ｌ５）上に設置される第９バルブ（２０１）；第１追加ライン（Ｌ６）上に設置される第１０バルブ（２０２）；と、第２供給ライン（Ｌ２）と第２熱交換器（１４０）との間の再循環ライン（Ｌ５）上に設置される第１２バルブ（２０５）；をさらに備える。
【０１４４】
また、本実施例における船舶は、第６バルブを選択的に備えている第３実施例とは異なり、第１供給ライン（Ｌ１）から分岐された蒸発ガスが第２熱交換器（１４０）に送られる再循環ライン（Ｌ５）上に設置されて、蒸発ガスの流量と開閉を調節する第６バルブ（１９６）を必須的に備える。
【０１４５】
本実施例の追加圧縮機（１２４）は、第２供給ライン（Ｌ２）上の第２圧縮機（１２２）の上流または下流に設置されて、第２圧縮機（１２２）より小容量であり得る。追加圧縮機（１２４）は、冷媒減圧装置（１６０）が、流体を膨張させながら生産する動力によって駆動することができ、追加圧縮機（１２４）の容量は、冷媒減圧装置（１６０）が生産する動力によって駆動される容量であり得る。本実施例では、冷媒減圧装置（１６０）が、流体を膨張させながら生産する動力を追加圧縮機（１２４）で使用する場合を例に挙げて説明するが、冷媒減圧装置（１６０）の生産する動力を第１圧縮機（１２０）や第２圧縮機（１２２）で使用するようにシステムを構成することもできる。
【０１４６】
圧縮機の種類には、高速で羽根車を回転させ、遠心力によるエネルギーでガスを圧縮する遠心圧縮機（Ｃｅｎｔｒｉｆｕｇａｌ  Ｃｏｍｐｒｅｓｓｏｒ）、シリンダー内のピストンの往復運動によってガスを圧縮する往復動圧縮機（Ｒｅｃｉｐｒｏｃａｔｉｎｇ  Ｃｏｍｐｒｅｓｓｏｒ）、２つのローターのかみ合いによってガスを圧縮するスクリュー圧縮機（Ｓｃｒｅｗ  Ｃｏｍｐｒｅｓｓｏｒ）などがあり、このうち往復動圧縮機とスクリュー圧縮機は、一定の容積の中に吸引された気体を圧縮する容積形圧縮機（Ｐｏｓｉｔｉｖｅ  Ｄｉｓｐｌａｃｅｍｅｎｔ  Ｃｏｍｐｒｅｓｓｏｒ）に属する。
【０１４７】
本実施例の第１圧縮機（１２０）と第２圧縮機（１２２）は容積形圧縮機の方が好ましく、追加圧縮機（１２４）は遠心型圧縮機の方が好ましいが、追加圧縮機（１２４）が第２圧縮機（１２２）の下流に設置される場合、第２圧縮機（１２２）は第１圧縮機（１２０）と同じ流量を圧縮するため、第２供給ライン（Ｌ２）を通過した蒸発ガスの質量流量は同一であり、圧力だけ高くなる効果が発生する。しかし、追加圧縮機（１２４）が第２圧縮機（１２２）の上流に設置される場合には、追加圧縮機（１２４）によって圧縮されて高密度になった蒸発ガスが第２圧縮機（１２２）に供給されるため、第２圧縮機（１２２）に供給される蒸発ガスの質量流量を増加させることができる。
【０１４８】
すなわち、追加圧縮機（１２４）が第２圧縮機（１２２）の上流に設置される場合、貯蔵タンク（Ｔ）から排出されて第２供給ライン（Ｌ２）に供給された蒸発ガスは、追加圧縮機（１２４）によって圧縮され密度が高くなるため、第２圧縮機（１２２）に同一流量の蒸発ガスが供給されても第２圧縮機（１２２）に供給される蒸発ガスの質量はもっと大きくなる。結局、第２圧縮機（１２２）によって圧縮された後、第２熱交換器（１４０）で冷媒として使用される流体の質量がより大きくなるため、第２熱交換器（１４０）における再液化効率と再液化量を増加させることができる。追加圧縮機（１２４）が第２圧縮機（１２２）の上流に設置される場合、本実施例の閉ループと独立開ループで運用することができるだけでなく、第２圧縮機（１２２）の出口圧力を第１圧縮機（１２０）の出口圧力と同様に調整して、開ループで運用することもできる。
【０１４９】
また、追加圧縮機（１２４）が第２圧縮機（１２２）の下流に設置される場合、第２圧縮機（１２２）の容量によって質量流量が決定され、追加圧縮機（１２４）は付加的な圧力を高める役割だけを行うことになる。これも従来に比べて効率の向上が期待され得るが、制限的であるため、追加圧縮機（１２４）は第２圧縮機（１２２）の上流に設置されるのが好ましい。追加圧縮機（１２４）が第２圧縮機（１２２）の下流に設置される場合、本実施例では、閉ループと独立開ループで運用することができ、第１供給ライン（Ｌ１）を通過した蒸発ガスと第２供給ライン（Ｌ２）を通過した蒸発ガスの圧力が異なるため、開ループの運用は困難であり得る。
【０１５０】
本実施例では、追加圧縮機（１２４）を設置する代わりに、第２圧縮機（１２２）の圧力と容量を高めても、類似した効果を達成することができる。しかし、圧力と容量が大きい第２圧縮機（１２２）を使用すると、費用が増えるという短所がある。
【０１５１】
本実施例によれば、冷媒減圧装置（１６０）が生産する動力を利用することができ、追加圧縮機（１２４）を追加することにより、低費用で再液化効率と再液化量を高めることができる。
【０１５２】
本実施例の追加冷却器（１３４）は、追加圧縮機（１２４）によって圧縮されて圧力だけでなく温度も高くなった蒸発ガスの温度を下げる。追加圧縮機（１２４）が第２圧縮機（１２２）の上流に設置される場合には、追加圧縮機（１２４）、追加冷却器（１３４）、第２圧縮機（１２２）、第２冷却器（１３２）の順で設置され、追加圧縮機（１２４）が第２圧縮機（１２２）の下流に設置される場合には、第２圧縮機（１２２）、第２冷却器（１３２）、追加圧縮機（１２４）、追加冷却器（１３４）の順に設置される。
【０１５３】
本実施例の推進圧縮機（１２６）は、第１供給ライン（Ｌ１）に沿って燃料需要先（１８０）に供給される蒸発ガスの一部を分岐させて第１熱交換器（１１０）に送る復帰ライン（Ｌ３）上に設置され、復帰ライン（Ｌ３）に沿って第１熱交換器（１１０）に供給される蒸発ガスの圧力を高める。推進圧縮機（１２６）は、蒸発ガスを臨界点（メタンの場合、約５５ｂａｒ）以下の圧力まで圧縮することと、臨界点を超える圧力まで圧縮することが可能であり、本実施例の推進圧縮機（１２６）が蒸発ガスを臨界点以上まで圧縮する場合、約３００ｂａｒに圧縮できる。
【０１５４】
本実施例の推進冷却器（１３６）は、推進圧縮機（１２６）の下流の復帰ライン（Ｌ３）上に設置されて、推進圧縮機（１２６）を通過して圧力だけでなく温度も上がった蒸発ガスの温度を下げる。
【０１５５】
本実施例における船舶は、推進圧縮機（１２６）をさらに備えて、再液化過程を経る蒸発ガスの圧力を高めることができるため、再液化量と再液化効率を高めることができる。
【０１５６】
図９は、異なる圧力下で熱流量によるメタンの温度値をそれぞれ示したグラフである。図９を参照すると、再液化過程を経る蒸発ガスの圧力が高いほど、自己熱交換の効率が高まることが確認できる。自己熱交換の自己は、低温の蒸発ガス自体を冷却流体として利用し、高温の蒸発ガスと熱交換させることを意味する。
【０１５７】
図９の（ａ）は、推進圧縮機（１２６）と推進冷却器（１３６）を備えない場合、第２熱交換器（１４０）における各流体の状態を示し、図９の（ｂ）は推進圧縮機（１２６）と推進冷却器（１３６）を備える場合に第２熱交換器（１４０）における各流体の状態を示す。
【０１５８】
図９の（ａ）と（ｂ）の最上のグラフＩは、再循環ライン（Ｌ５）に沿って第２熱交換器（１４０）に供給される図５のＡ地点の流体状態を示したものであり、最下のグラフＬは、再循環ライン（Ｌ５）に沿って第２熱交換器（１４０）と冷媒減圧装置（１６０）を通過し冷媒として使用されるため第２熱交換器（１４０）に再び供給される図５のＣ地点の流体状態を示したものであり、中間部のグラフＫと重なって描かれたグラフＪは、第１熱交換器（１１０）を通過して復帰ライン（Ｌ３）に沿って第２熱交換器（１４０）で供給される図５のＥ地点の流体状態を示したものである。
【０１５９】
冷媒として使用される流体は、熱交換の過程で冷熱を奪われて段々温度が上昇するため、グラフＬは、時間の経過に従って左側から右側に移動し、冷媒と熱交換されて冷却される流体は、熱交換の過程で冷媒からの冷熱を受けて段々温度が下がるため、グラフＩおよびグラフＪは、時間の経過に従って右側から左側に移動される。
【０１６０】
図９の（ａ）と（ｂ）の中間部のグラフＫは、グラフＩとグラフＪを組み合わせて表したものである。すなわち、第２熱交換器（１４０）で冷媒として使用される流体はグラフＬで表し、第２熱交換器（１４０）で冷媒と熱交換されて冷却される流体はグラフＫで表した。
【０１６１】
熱交換器を設計する際には、熱交換器に供給される（すなわち、図５のＡ地点、Ｃ地点、およびＥ地点）流体の温度と熱流量は固定し、冷媒として使用される流体の温度が冷却される流体の温度よりも高くならないように（すなわち、グラフＬとグラフＫが交差し、グラフＬがグラフＫより上方に表示されないように）しながら、対数平均温度差（ＬＭＴＤ；Ｌｏｇａｒｉｔｈｍｉｃ  Ｍｅａｎ  Ｔｅｍｐｅｒａｔｕｒｅ  Ｄｉｆｆｅｒｅｎｃｅ）が最小値になるようにする。
【０１６２】
対数平均温度差（ＬＭＴＤ）は、高温流体と低温流体が互いに反対方向で注入され、反対側から排出される熱交換方式である対向流の場合、低温流体が熱交換器を通過する前の温度をｔｃ１、低温流体が熱交換器を通過した後の温度をｔｃ２、高温流体が熱交換器を通過する前の温度をｔｈ１、高温流体が熱交換器を通過した後の温度をｔｈ２とし、ｄ１＝ｔｈ２−ｔｃ１、ｄ２＝ｔｈ１−ｔｃ２としたとき、（ｄ２−ｄ１）／ｌｎ（ｄ２／ｄ１）で表現される値であり、対数平均温度差が小さいほど熱交換器の効率は高くなる。
【０１６３】
グラフ上で対数平均温度差（ＬＭＴＤ）は、冷媒として使用される低温流体（図９のグラフＬ）と冷媒と熱交換されて冷却される高温流体（図９のグラフＫ）の間隔で表され、図９の（ａ）より図９の（ｂ）において、グラフＬとグラフＫの間隔がより狭く表示されることが分かる。
【０１６４】
この差は、丸い円で表示した地点であるグラフＪの初期値、すなわち、第１熱交換器（１１０）を通過し復帰ライン（Ｌ３）に沿って第２熱交換器（１４０）に供給される図５のＥ地点の流体の圧力が、図９の（ａ）より図９の（ｂ）の方が高いためである。
【０１６５】
すなわち、シミュレーションの結果、推進圧縮機（１２６）を備えない、図９の（ａ）の場合には、図５のＥ地点における流体は約−１１１℃、２０ｂａｒであり、推進圧縮機（１２６）を備える図９の（ｂ）の場合には、図５のＥ地点における流体は、約−９０℃、５０ｂａｒであるが、このような初期条件下で対数平均温度差（ＬＭＴＤ）が最小限になるように熱交換器を設計すれば、再液化過程を経る蒸発ガスの圧力が高い図９の（ｂ）の場合に熱交換器の効率がもっと高くなって、最終的にはシステム全体の再液化量と再液化効率が高まることになる。
【０１６６】
図９の（ａ）の場合、第２熱交換器（１４０）で冷媒として使用される蒸発ガスの流量が約６４０１ｋｇ／ｈであれば、冷媒として使用される流体（グラフＬ）から冷媒と熱交換されて冷却される流体（グラフＫ）に伝達される総熱流量は約５８５．４ｋＷであり、再液化された蒸発ガスの流量は、約３４４１ｋｇ／ｈである。
【０１６７】
図９の（ｂ）の場合、第２熱交換器（１４０）で冷媒として使用される蒸発ガスの流量が約５３６８ｋｇ／ｈであれば、冷媒として使用される流体（グラフＬ）から冷媒と熱交換されて冷却される流体（グラフＫ）に伝達される総熱流量は約５４５．２ｋＷであり、再液化された蒸発ガスの流量は、約４３２５ｋｇ／ｈである。
【０１６８】
すなわち、推進圧縮機（１２６）を含めて再液化過程を経る蒸発ガスの圧力を上げると、より少ない冷媒を使用しても、より多くの量の蒸発ガスを再液化できることができる。
【０１６９】
このように、本実施例における船舶は、推進圧縮機（１２６）を備えるため、再液化量と再液化効率を高めることができ、再液化量と再液化効率を高めて第２圧縮機（１２２）を駆動しなくても蒸発ガスのすべて処理することができる場合が増加し、第２圧縮機（１２２）の使用頻度を減らすことができるという長所がある。
【０１７０】
第２圧縮機（１２２）を利用して再液化効率を高めることができるが、第２圧縮機（１２２）を駆動させる時間が長いほど、第１圧縮機（１２０）が故障した場合に備えるという冗長性（Ｒｅｄｕｎｄａｎｃｙ）の概念は薄くなる。本実施例における船舶は、推進圧縮機（１２６）を備えて第２圧縮機（１２２）の使用頻度を減らすことができるため、冗長性の概念を十分に確保することができる。
【０１７１】
また、推進圧縮機（１２６）は、一般に第１圧縮機（１２０）または第２圧縮機（１２２）の約１／２の容量で十分であるため、第２圧縮機（１２２）を駆動させずに推進圧縮機（１２６）と第１圧縮機（１２０）のみを駆動させシステムを運用する場合、推進圧縮機（１２６）を設置しない場合に比べて、運用費用を低減することができる。
【０１７２】
更に図５を参照すると、本実施例の第１追加ライン（Ｌ６）の一端は、冷媒減圧装置（１６０）によって膨張されて第２熱交換器（１４０）を通過した蒸発ガスを第１供給ライン（Ｌ１）に送る再循環ライン（Ｌ５）上に連結されて、他端は、第３バルブ（１９３）と第２圧縮機（１２２）との間の第２供給ライン（Ｌ２）上に連結される。
【０１７３】
本実施例の第９バルブ（２０１）は、再循環ライン（Ｌ５）が第１圧縮機（１２０）と第２圧縮機（１２２）の上流の第１供給ライン（Ｌ１）と接する地点と、再循環ライン（Ｌ５）が第１追加ライン（Ｌ６）と接する地点との間の再循環ライン（Ｌ５）上に設置される。また、本実施例における船舶は、第３実施例と異なり、第２圧縮機（１２２）の下流側の第２供給ライン（Ｌ２）が、第１供給ライン（Ｌ１）ではなく、再循環ライン（Ｌ５）に連結される。
【０１７４】
本実施例の第１２バルブ（２０５）は、第２供給ライン（Ｌ２）と第２熱交換器（１４０）との間の再循環ライン（Ｌ５）上に設置されて、流体の流量と開閉を調節する。
【０１７５】
本実施例の第１ないし第１２バルブ（１９１、１９２、１９３、１９４、１９５、１９６、１９７、１９８、２０１、２０２、２０３、２０５）は、システム運用状況を人が直接判断して、手動で調整することと、予め設定された値によって開閉されるように自動的に調整することとができる。
【０１７６】
本実施例における船舶における第３実施例と異なる特徴は、冷媒サイクルを開ループだけでなく、閉ループでも運用できるようにして、船舶の運航条件に応じて、再液化システムをより柔軟に使用することが可能であり、以下、追加圧縮機（１２４）が第２圧縮機（１２２）の上流に設置された場合、バルブの調整を介して冷媒サイクルを閉ループで運用する方法および開ループで運用する方法を説明する。
【０１７７】
本実施例における船舶の冷媒サイクルを閉ループで運用するために、まず、第１バルブ（１９１）、第２バルブ（１９２）、第３バルブ（１９３）、第４バルブ（１９４）、第１０バルブ（２０２）、第１２バルブ（２０５）は開いて、第６バルブ（１９６）及び第９バルブ（２０１）は閉じた状態でシステムを駆動させる。
【０１７８】
貯蔵タンク（Ｔ）から排出され第２圧縮機（１２２）によって圧縮された蒸発ガスが再循環ライン（Ｌ５）に供給されると、第３バルブ（１９３）を閉じて、蒸発ガスが追加圧縮機（１２４）、追加冷却器（１３４）、第２圧縮機（１２２）、第２冷却器（１３２）、第４バルブ（１９４）、第１２バルブ（２０５）、第２熱交換器（１４０）、冷媒減圧装置（１６０）、再び第２熱交換器（１４０）、第１０バルブ（２０２）を循環する閉ループの冷媒サイクルを形成させる。
【０１７９】
冷媒サイクルを閉ループで構成する場合には、窒素ガスを閉ループを循環する冷媒として使用することもできる。この場合、本実施例の貯蔵タンクは、窒素ガスを閉ループの冷媒サイクル内に導入させる配管をさらに備えることができる。
【０１８０】
冷媒サイクルが閉ループで運用される場合、閉ループを循環する蒸発ガスのみが第２熱交換器（１４０）における冷媒として使用され、第１圧縮機（１２０）を通過した蒸発ガスは、冷媒サイクルに導入されず、燃料需要先（１８０）に供給されるか、復帰ライン（Ｌ３）に沿って再液化過程を経ることになる。したがって、再液化量や燃料需要先（１８０）から要求される蒸発ガス量に関係なく一定の流量の蒸発ガスが第２熱交換器（１４０）の冷媒として循環される。
【０１８１】
本実施例の冷媒サイクルが閉ループで運用される場合、開ループまたは独立開ループで運用される場合に比べて、再液化過程を経る蒸発ガスと冷媒として使用される蒸発ガスのそれぞれの流量を制御することが容易であるという利点がある。
【０１８２】
また、本実施例の第１供給ライン（Ｌ１）には、一台の圧縮機（１２０）のみ設置されて、第２供給ライン（Ｌ２）には２台の圧縮機（１２２、１２４）が設置されるため、第１供給ライン（Ｌ１）を通過した蒸発ガスと第２供給ライン（Ｌ２）を通過した蒸発ガスの圧力が異なり得る。第１供給ライン（Ｌ１）を通過した蒸発ガスと第２供給ライン（Ｌ２）を通過した蒸発ガスの圧力が異なる場合には、本実施例の冷媒サイクルは閉ループまたは独立閉ループで運用されることが好ましい。
【０１８３】
本実施例における船舶の冷媒サイクルが閉ループで運用される場合において、蒸発ガスの流れを以下のように説明する。
【０１８４】
貯蔵タンク（Ｔ）から排出された蒸発ガスは、第１熱交換器（１１０）を通過した後、第１圧縮機（１２０）によって圧縮され、第１冷却器（１３０）によって冷却された後、一部は燃料需要先（１８０）に送られ、残りの一部は復帰ライン（Ｌ３）に沿って再液化過程を経ることになる。
【０１８５】
復帰ライン（Ｌ３）に沿って再液化過程を経る蒸発ガスは、推進圧縮機（１２６）によって圧縮され推進冷却器（１３６）によって冷却された後、第１熱交換器（１１０）によって貯蔵タンク（Ｔ）から排出された蒸発ガスと熱交換されて冷却される。第１熱交換器（１１０）によって冷却された蒸発ガスは、第２熱交換器（１４０）で熱交換され、さらに冷却された後、第１減圧装置（１５０）によって膨張され、一部または全部が再液化される。
【０１８６】
本実施例では、復帰ライン（Ｌ３）に沿って再液化過程を経る蒸発ガスが、推進圧縮機（１２６）によって圧縮された後、第１熱交換器（１１０）と第２熱交換器（１４０）で２回にわたって冷却される場合を説明したが、推進圧縮機（１２６）によって圧縮された蒸発ガスは、直ちに第２熱交換器（１４０）に送られて冷却された後、第１減圧装置（１５０）によって膨張され再液化することもできる。本実施例の冷媒サイクルが開ループと独立開ループに運用される場合も同様である。
【０１８７】
本実施例における船舶が気液分離器（１７０）を備えない場合には、一部または全部再液化された蒸発ガスは直ちに貯蔵タンク（Ｔ）に送られ、本実施例における船舶が気液分離器（１７０）を備える場合には、一部または全部再液化された蒸発ガスは気液分離器（１７０）に送られる。気液分離器（１７０）によって分離された気体は、貯蔵タンク（Ｔ）から排出される蒸発ガスと合流し第１熱交換器（１１０）に送られ、気液分離器（１７０）によって分離された液体は貯蔵タンク（Ｔ）に送られる。
【０１８８】
一方、冷媒サイクルを循環する蒸発ガスは、追加圧縮機（１２４）によって圧縮されて追加冷却器（１３４）によって冷却された後、第２圧縮機（１２２）によってさらに圧縮されて第２冷却器（１３２）により冷却され、再循環ライン（Ｌ５）に沿って第２熱交換器（１４０）に送られる。追加圧縮機（１２４）と第２圧縮機（１２２）を通過して第２熱交換器（１４０）に送られた蒸発ガスは、第２熱交換器（１４０）から１次的に熱交換されて冷却された後、冷媒減圧装置（１６０）に送られ、２次的に膨張されて冷却される。
【０１８９】
本実施例では、再循環ライン（Ｌ５）に沿って冷媒として使用される蒸発ガスが、第２熱交換器（１４０）を１次的に通過した後、冷媒減圧装置（１６０）を経て、第２熱交換器（１４０）に再び送られる場合を説明したが、再循環ライン（Ｌ５）に沿って冷媒として使用される蒸発ガスは、第２熱交換器（１４０）を経由せずに直接冷媒減圧装置（１６０）に送られた後、第２熱交換器（１４０）に送ることができる。本実施例の冷媒サイクルが開ループと独立開ループに運用される場合も同様である。
【０１９０】
冷媒減圧装置（１６０）を通過した蒸発ガスは、再び第２熱交換器（１４０）に送られ、第１熱交換器（１１０）を通過した後、復帰ライン（Ｌ３）に沿って第２熱交換器（１４０）に供給された蒸発ガス；及び追加圧縮機（１２４）と第２圧縮機（１２２）によって圧縮され再循環ライン（Ｌ５）に沿って第２熱交換器（１４０）に供給された蒸発ガス；を冷却する冷媒として使用される。冷媒減圧装置（１６０）を通過した後、第２熱交換器（１４０）で冷媒として使用された蒸発ガスは、再び追加圧縮機（１２４）に送られ、上述した一連の過程を繰り返す。
【０１９１】
本実施例における船舶の冷媒サイクルが閉ループで運用される間に、第１圧縮機（１２０）または第１冷却器（１３０）が故障すると、第１バルブ（１９１）、第２バルブ（１９２）、第１０バルブ（２０２）及び第１２バルブ（２０５）は閉じ、第３バルブ（１９３）及び第６バルブ（１９６）は開いて、貯蔵タンク（Ｔ）から排出されて第１熱交換器（１１０）を通過した蒸発ガスが、第３バルブ（１９３）、追加圧縮機（１２４）、追加冷却器（１３４）、第２圧縮機（１２２）、第２冷却器（１３２）、第４バルブ（１９４）及び第６バルブ（１９６）を経て燃料需要先（１８０）に供給されるように構成する。追加圧縮機（１２４）と第２圧縮機（１２２）によって圧縮された蒸発ガスを、第２熱交換器（１４０）の冷媒として使用する必要がある場合には、第９バルブ（２０１）及び第１２バルブ（２０５）を開いて、システムを運用することもできる。
【０１９２】
本実施例における船舶の冷媒サイクルを開ループで運用するために、第１バルブ（１９１）、第２バルブ（１９２）、第３バルブ（１９３）、第４バルブ（１９４）、第６バルブ（１９６）、第９バルブ（２０１）及び第１２バルブ（２０５）は開いて、第１０バルブ（２０２）は閉じる。
【０１９３】
冷媒サイクルを閉ループで運用すると、冷媒サイクルを循環する蒸発ガスと、燃料需要先（１８０）に送られるか復帰ライン（Ｌ３）に沿って再液化過程を経る蒸発ガスとが分離される。一方、冷媒サイクルを開ループで運用すると、第１圧縮機（１２０）によって圧縮された蒸発ガスと第２圧縮機（１２２）によって圧縮された蒸発ガスとが合流し、第２熱交換器（１４０）で冷媒として使用されたり、燃料需要先（１８０）に送られたり、復帰ライン（Ｌ３）に沿って再液化過程を経ることになる。
【０１９４】
したがって、冷媒サイクルを開ループで運用すると、再液化量と燃料需要先（１８０）においての蒸発ガス要件を考慮して、第２熱交換器（１４０）に送る冷媒の流量を流動的に調節することができる。特に、燃料需要先（１８０）からの蒸発ガス需要が少ない場合、第２熱交換器（１４０）に送る冷媒の流量を増加させると、再液化効率と再液化量を高めることができる。
【０１９５】
本実施例における船舶の冷媒サイクルが開ループで運用される場合の蒸発ガスの流れを以下のように説明する。
【０１９６】
貯蔵タンク（Ｔ）から排出された蒸発ガスは、第１熱交換器（１１０）を通過した後、二つの流れに分岐して、一部は第１供給ライン（Ｌ１）に送られ、残りの一部は第２供給ライン（Ｌ２）に送られる。
【０１９７】
第１供給ライン（Ｌ１）に送られた蒸発ガスは、第１バルブ（１９１）、第１圧縮機（１２０）、第１冷却器（１３０）と第２バルブ（１９２）を通過した後、一部は第６バルブ（１９６）及び第１２バルブ（２０５）を通過して第２熱交換器（１４０）に送られ、他の一部は再び二つの流れに分岐する。二つの流れに分岐した蒸発ガスの一方は燃料需要先（１８０）に送られ、他方は復帰ライン（Ｌ３）に沿って推進圧縮機（１２６）に送られる。
【０１９８】
第２供給ライン（Ｌ２）に送られた蒸発ガスは、第３バルブ（１９３）、追加圧縮機（１２４）、追加冷却器（１３４）、第２圧縮機（１２２）、第２冷却器（１３２）と第４バルブ（１９４）を通過した後、一部は第１２バルブ（２０５）を通過して第２熱交換器（１４０）に送られ、他の一部は第１供給ライン（Ｌ１）に送られた後、二つの流れに分岐する。二つの流れに分岐した蒸発ガスの一方は燃料需要先（１８０）に送られ、他方の流れは復帰ライン（Ｌ３）に沿って推進圧縮機（１２６）に送られる。
【０１９９】
説明の便宜上、第１圧縮機（１２０）によって圧縮された蒸発ガスと追加圧縮機（１２４）及び第２圧縮機（１２２）によって圧縮された蒸発ガスを分離して説明したが、第１圧縮機（１２０）によって圧縮された蒸発ガスと追加圧縮機（１２４）及び第２圧縮機（１２２）によって圧縮された蒸発ガスは、それぞれ分離されて流れるのではなく、合流して第２熱交換器（１４０）、燃料需要先（１８０）または推進圧縮機（１２６）に供給される。
【０２００】
すなわち、第２熱交換器（１４０）に蒸発ガスを送る再循環ライン（Ｌ５）、燃料需要先（１８０）に蒸発ガスを送る第１供給ライン（Ｌ１）、第１熱交換器（１１０）に蒸発ガスを送る復帰ライン（Ｌ３）には、第１圧縮機（１２０）によって圧縮された蒸発ガスと追加圧縮機（１２４）及び第２圧縮機（１２２）によって圧縮された蒸発ガスが混合して流れる。
【０２０１】
再循環ライン（Ｌ５）に沿って第２熱交換器（１４０）に送られた蒸発ガスは、第２熱交換器（１４０）で１次的に熱交換されて冷却され、冷媒減圧装置（１６０）によって２次膨張されて冷却された後、再び第２熱交換器（１４０）に供給される。冷媒減圧装置（１６０）を通過して第２熱交換器（１４０）に供給された蒸発ガスは、第１熱交換器（１１０）を通過し復帰ライン（Ｌ３）に沿って第２熱交換器（１４０）に供給された蒸発ガス；及び再循環ライン（Ｌ５）に沿って第２熱交換器（１４０）に供給され、第１圧縮機（１２０）によって圧縮された蒸発ガスと追加圧縮機（１２４）と第２圧縮機（１２２）によって圧縮された蒸発ガスが合流した流れ；と熱交換される。
【０２０２】
冷媒減圧装置（１６０）を通過した後、第２熱交換器（１４０）で冷媒として使用された蒸発ガスは、第９バルブ（２０１）を通過して第１供給ライン（Ｌ１）に送られ、貯蔵タンク（Ｔ）から排出されて第１熱交換器（１１０）を通過した蒸発ガスと合流し、上述した一連のプロセスを繰り返す。
【０２０３】
一方、復帰ライン（Ｌ３）に沿って推進圧縮機（１２６）に送られた蒸発ガスは、推進圧縮機（１２４）によって圧縮され、推進冷却器（１３４）によって冷却された後、第１熱交換器（１１０）に送られる。第１熱交換器（１１０）に送られた蒸発ガスは、第１熱交換器（１１０）で１次冷却され、第２熱交換器（１４０）から２次冷却された後、第１減圧装置（１５０）によって膨張されて一部または全部が再液化される。
【０２０４】
本実施例における船舶が気液分離器（１７０）を備えない場合には、一部または全部再液化された蒸発ガスは直ちに貯蔵タンク（Ｔ）に送られ、本実施例における船舶が気液分離器（１７０）を備える場合には、一部または全部再液化された蒸発ガスは、気液分離器（１７０）に送られる。気液分離器（１７０）によって分離された気体は、貯蔵タンク（Ｔ）から排出される蒸発ガスと合流して、第１熱交換器（１１０）に送られ、気液分離器（１７０）によって分離された液体は、貯蔵タンク（Ｔ）に送られる。
【０２０５】
本実施例における船舶の冷媒サイクルが開ループで運用される間に、第１圧縮機（１２０）または第１冷却器（１３０）が故障すると、第１バルブ（１９１）、第２バルブ（１９２）、第９バルブ（２０１）及び第１２バルブ（２０５）を閉じて、貯蔵タンク（Ｔ）から排出されて第１熱交換器（１１０）を通過した蒸発ガスが、第３バルブ（１９３）、追加圧縮機（１２４）、追加冷却器（１３４）、第２圧縮機（１２２）、第２冷却器（１３２）、第４バルブ（１９４）及び第６バルブ（１９６）を経て燃料需要先（１８０）に供給されるように構成する。追加圧縮機（１２４）と第２圧縮機（１２２）によって圧縮された蒸発ガスを、第２熱交換器（１４０）の冷媒として使用する必要がある場合には、第９バルブ（２０１）及び第１２バルブ（２０５）を開いて、システムを運用することもできる。
【０２０６】
本実施例における船舶は、冷媒サイクルを開ループで運用しながらも、第２圧縮機（１２２）によって圧縮された蒸発ガスは第２熱交換器（１４０）の冷媒でのみで使用し、第１圧縮機（１２０）によって圧縮された蒸発ガスは、燃料需要先（１８０）に送るか、復帰ライン（Ｌ３）に沿って再液化過程を経ることで、第２熱交換器（１４０）の冷媒としては使用しないように、第２圧縮機（１２２）と第１圧縮機（１２０）を独立的に運用することもできる。以下、第２圧縮機（１２２）と第１圧縮機（１２０）を独立的に運用する開ループの冷媒サイクルを「独立開ループ」と称する。
【０２０７】
本実施例における船舶の冷媒サイクルを独立開ループに運用するために、第１バルブ（１９１）、第２バルブ（１９２）、第３バルブ（１９３）、第４バルブ（１９４）、第９バルブ（２０１）及び第１２バルブ（２０５）は開いて、第６バルブ（１９６）及び第１０バルブ（２０２）は閉じる。冷媒サイクルを独立開ループで運用すると、閉ループで運用する際に比べて、比較的柔軟なシステムの運用が可能でありながら、開ループで運用する際に比べてシステムの運転が容易になるという利点がある。
【０２０８】
本実施例における船舶の冷媒サイクルが独立開ループで運用される場合、蒸発ガスの流れを以下のように説明する。
【０２０９】
貯蔵タンク（Ｔ）から排出された蒸発ガスは、第１熱交換器（１１０）を通過した後、二つの流れに分岐し、一部は第１供給ライン（Ｌ１）に送られ、残りの一部は、第２供給ライン（Ｌ２）に送られる。第１供給ライン（Ｌ１）に送られた蒸発ガスは、第１バルブ（１９１）、第１圧縮機（１２０）、第１冷却器（１３０）と第２バルブ（１９２）を通過した後、一部は燃料需要先（１８０）に送られ、他の一部は、復帰ライン（Ｌ３）に沿って推進圧縮機（１２６）に送られる。
【０２１０】
第２供給ライン（Ｌ２）に送られた蒸発ガスは、第３バルブ（１９３）、追加圧縮機（１２４）、追加冷却器（１３４）、第２圧縮機（１２２）、第２冷却器（１３２）、第４バルブ（１９４）及び第１２バルブ（２０５）を通過した後、再循環ライン（Ｌ５）に沿って第２熱交換器（１４０）に送られる。
【０２１１】
追加圧縮機（１２４）と第２圧縮機（１２２）によって圧縮されて再循環ライン（Ｌ５）に沿って第２熱交換器（１４０）に送られた蒸発ガスは、第２熱交換器（１４０）で１次的に熱交換されて冷却され、冷媒減圧装置（１６０）によって２次的に膨張されて冷却された後、再び第２熱交換器（１４０）に供給され、第１熱交換器（１１０）を通過し復帰ライン（Ｌ３）に沿って第２熱交換器（１４０）に供給された蒸発ガス；及び追加圧縮機（１２４）と第２圧縮機（１２２）によって圧縮され再循環ライン（Ｌ５）に沿って第２熱交換器（１４０）に供給された蒸発ガス；を冷却する冷媒として使用される。
【０２１２】
冷媒減圧装置（１６０）を通過した後、第２熱交換器（１４０）で冷媒として使用された蒸発ガスは、第９バルブ（２０１）を通過して第１供給ライン（Ｌ１）に送られ、貯蔵タンク（Ｔ）から排出された後、第１熱交換器（１１０）を通過した蒸発ガスと合流し、上述した一連の過程を繰り返す。
【０２１３】
第１圧縮機（１２０）によって圧縮された後、復帰ライン（Ｌ３）に沿って推進圧縮機（１２６）に送られた蒸発ガスは、推進圧縮機（１２４）によって圧縮され、推進冷却器（１３４）によって冷却された後、第１熱交換器（１１０）に送られる。第１熱交換器（１１０）に送られた蒸発ガスは、第１熱交換器（１１０）で１次冷却され、第２熱交換器（１４０）で２次冷却された後、第１減圧装置（１５０）によって膨張されて一部または全部が再液化される。
【０２１４】
本実施例における船舶が気液分離器（１７０）を備えない場合には、一部または全部再液化された蒸発ガスは直ちに貯蔵タンク（Ｔ）に送られ、本実施例における船舶が気液分離器（１７０）を備える場合には、一部または全部再液化された蒸発ガスは気液分離器（１７０）に送られる。気液分離器（１７０）によって分離された気体は、貯蔵タンク（Ｔ）から排出される蒸発ガスと合流して第１熱交換器（１１０）に送られ、気液分離器（１７０）によって分離された液体は貯蔵タンク（Ｔ）に送られる。
【０２１５】
本実施例における船舶の冷媒サイクルが独立開ループで運用される間に、第１圧縮機（１２０）または第１冷却器（１３０）が故障すると、第１バルブ（１９１）、第２バルブ（１９２）、第９バルブ（２０１）及び第１２バルブ（２０５）を閉じて、第６バルブ（１９６）を開いて、貯蔵タンク（Ｔ）から排出されて第１熱交換器（１１０）を通過した蒸発ガスが、第３バルブ（１９３）、追加圧縮機（１２４）、追加冷却器（１３４）、第２圧縮機（１２２）、第２冷却器（１３２）、第４バルブ（１９４）及び第６バルブ（１９６）を経て燃料需要先（１８０）まで供給されるように構成する。追加圧縮機（１２４）と第２圧縮機（１２２）によって圧縮された蒸発ガスを、第２熱交換器（１４０）の冷媒として使用する必要がある場合には、第９バルブ（２０１）及び第１２バルブ（２０５）を開いて、システムを運用することもできる。
【０２１６】
図６は、本発明の第５実施例に係る船舶の蒸発ガス処理システムを概略的に示した構成図である。
【０２１７】
図６に示された第５実施例における船舶は、図５に図示された第４実施例の船舶に比べて、第１追加ライン（Ｌ６）を含まず、追加圧縮機（１２４）と追加冷却器（１３４）を再循環ライン（Ｌ５）に設置し、各ラインの連結位置が少しずつ変更された点で相違点があり、以下では相違点を中心に説明する。前述した第４実施例における船舶と同一部材については、詳細な説明を省略する。
【０２１８】
図６を参照すれば、本実施例における船舶は、第４実施例と同様に、第１熱交換器（１１０）、第１バルブ（１９１）、第１圧縮機（１２０）、第１冷却器（１３０）、第２バルブ（１９２）、第３バルブ（１９３）、第２圧縮機（１２２）、第２冷却器（１３２）、第４バルブ（１９４）、推進圧縮機（１２６）、推進冷却器（１３６）、第２熱交換器（１４０）、冷媒減圧装置（１６０）、追加圧縮機（１２４）、追加冷却器（１３４）、第９バルブ（２０１）、第１２バルブ（２０５）及び第１減圧装置（１５０）を備える。
【０２１９】
本実施例の第１熱交換器（１１０）は、第４実施例と同様に、貯蔵タンク（Ｔ）から排出された蒸発ガスを冷媒として使用し、復帰ライン（Ｌ３）に沿って第１熱交換器（１１０）に送られた蒸発ガスを冷却する。すなわち、第１熱交換器（１１０）は、貯蔵タンク（Ｔ）から排出された蒸発ガスの冷熱を回収し、回収した冷熱を復帰ライン（Ｌ３）に沿って第１熱交換器（１１０）に送られた蒸発ガスに供給する。復帰ライン（Ｌ３）上には蒸発ガスの流量と開閉を調節する第５バルブ（１９５）が設置され得る。
【０２２０】
本実施例の第１圧縮機（１２０）は、第４実施例と同様に、第１供給ライン（Ｌ１）上に設置されて貯蔵タンク（Ｔ）から排出された蒸発ガスを圧縮し、本実施例の第２圧縮機（１２２）は、第４実施例と同様に、第２供給ライン（Ｌ２）上に第１圧縮機（１２０）と並列に設置されて貯蔵タンク（Ｔ）から排出された蒸発ガスを圧縮する。第１圧縮機（１２０）と第２圧縮機（１２２）は、同じ性能の圧縮機であること、それぞれ多段圧縮機であることができる。
【０２２１】
本実施例の第１圧縮機（１２０）と第２圧縮機（１２２）は、第４実施例と同様に、燃料需要先（１８０）が必要とする圧力まで蒸発ガスを圧縮できる。また、燃料需要先（１８０）が複数の種類のエンジンを備える場合には、より高い圧力を必要とするエンジン（以下、「高圧エンジン」という。）の要求圧力に合わせて蒸発ガスを圧縮した後、一部は高圧エンジンに供給し、他の一部は、より低い圧力を必要とするエンジン（以下、「低圧エンジン」という。）の上流に設置された減圧装置によって減圧した後、低圧エンジンに供給することができる。そのほかにも、第１熱交換器（１１０）と第２熱交換器（１４０）における再液化効率と再液化量を高めるために、蒸発ガスを第１圧縮機（１２０）または第２圧縮機（１２２）によって燃料需要先（１８０）が必要とする圧力以上の高圧まで圧縮し、燃料需要先（１８０）の上流には減圧装置を設置して、高圧で圧縮された蒸発ガスの圧力を燃料需要先（１８０）から要求される圧力まで下げた後、燃料需要先（１８０）に供給することもできる。
【０２２２】
本実施例における船舶は、第４実施例と同様に、燃料需要先（１８０）の上流に設置されて、燃料需要先（１８０）に送られる蒸発ガスの流量と開閉を調節する第１１バルブ（２０３）をさらに備えることができる。
【０２２３】
本実施例における船舶は、第４実施例と同様に、第２圧縮機（１２２）によって圧縮された蒸発ガスを第２熱交換器（１４０）で蒸発ガスをさらに冷却する冷媒として使用するため、再液化効率と再液化量を高めることができる。
【０２２４】
本実施例の第１冷却器（１３０）は、第４実施例と同様に、第１圧縮機（１２０）の下流に設置されて、第１圧縮機（１２０）を通過しながら圧力だけでなく温度も上がった蒸発ガスを冷却する。本実施例の第２冷却器（１３２）は、第４実施例と同様に、第２圧縮機（１２２）の下流に設置されて、第２圧縮機（１２２）を通過しながら圧力だけでなく温度も上がった蒸発ガスを冷却する。
【０２２５】
本実施例の推進圧縮機（１２６）は、第４実施例と同様に、第１供給ライン（Ｌ１）に沿って燃料需要先（１８０）に供給される蒸発ガスの一部を分岐させて第１熱交換器（１１０）に送る復帰ライン（Ｌ３）上に設置されて、復帰ライン（Ｌ３）に沿って第１熱交換器（１１０）に供給される蒸発ガスの圧力を高める。推進圧縮機（１２６）は、蒸発ガスを臨界点（メタンの場合、約５５ｂａｒ）以下の圧力まで圧縮することもあり、臨界点を超える圧力まで圧縮することもあり、本実施例の推進圧縮機（１２６）が蒸発ガスを臨界点以上まで圧縮する場合、約３００ｂａｒに圧縮することができる。
【０２２６】
本実施例の推進冷却器（１３６）は、第４実施例と同様に、推進圧縮機（１２６）の下流の復帰ライン（Ｌ３）上に設置されて、推進圧縮機（１２６）を通過し圧力だけでなく温度も上がった蒸発ガスの温度を下げる。
【０２２７】
本実施例における船舶は、推進圧縮機（１２６）をさらに備えるため、第４実施例と同様に、再液化過程を経る蒸発ガスの圧力を高めて再液化量と再液化効率を高めることができ、第２圧縮機（１２２）の使用頻度を減らすことができ、冗長性の概念を十分に確保することができ、推進圧縮機（１２６）を設置しない場合に比べて、運用費用を低減することができる。
【０２２８】
本実施例の第２熱交換器（１４０）は、第４実施例と同様に、復帰ライン（Ｌ３）に沿って第１熱交換器（１１０）に供給されて、第１熱交換器（１１０）によって冷却された蒸発ガスをさらに冷却する。
【０２２９】
本実施例によれば、第４実施例と同様に、貯蔵タンク（Ｔ）から排出された蒸発ガスが第１熱交換器（１１０）だけでなく、第２熱交換器（１４０）でもさらに冷却されて、より温度が低状態で第１減圧装置（１５０）に供給され得るため、再液化効率と再液化量が高くなる。
【０２３０】
本実施例の冷媒減圧装置（１６０）は、第４実施例と同様に、第２熱交換器（１４０）を通過した蒸発ガスを膨張させた後、再び第２熱交換器（１４０）に送る。
【０２３１】
本実施例の追加圧縮機（１２４）は、冷媒減圧装置（１６０）と第２熱交換器（１４０）を通過した流体を圧縮し、冷媒減圧装置（１６０）が流体を膨張させながら生産する動力によって駆動される。すなわち、本実施例の冷媒減圧装置（１６０）と追加圧縮機（１２４）は、圧伸機（Ｃｏｍｐａｎｄｅｒ、９００）を形成することができる。追加圧縮機（１２４）は第２圧縮機（１２２）より小容量であることができ、冷媒減圧装置（１６０）が生産する動力によって駆動できる容量であり得る。
【０２３２】
ただし、本実施例の追加圧縮機（１２４）は、第４実施例と異なり、第２供給ライン（Ｌ２）上に設置されるのではなく、第２供給ライン（Ｌ２）から分岐されて冷媒減圧装置（１６０）及び第２熱交換器（１４０）を通過した流体が、再び第２供給ライン（Ｌ２）に送られる再循環ライン（Ｌ５）上に設置される。
【０２３３】
本実施例によれば、第４実施例と同様に、冷媒減圧装置（１６０）が生産する動力を活用することができ、第２圧縮機（１２２）よりも小容量の追加圧縮機（１２４）を追加することにより、低費用で再液化効率と再液化量を高めることができる。
【０２３４】
本実施例の追加冷却器（１３４）は、第４実施例と同様に、追加圧縮機（１２４）の下流に設置されて、追加圧縮機（１２４）によって圧縮され圧力だけでなく温度も高くなった蒸発ガスの温度を下げる。ただし、本実施例の追加冷却器（１３４）は、第４実施例と異なり、再循環ライン（Ｌ５）上に設置される。
【０２３５】
本実施例では、追加圧縮機（１２４）と追加冷却器（１３４）を再循環ライン（Ｌ５）上に設置して、第２熱交換器（１４０）における冷媒として使用される流体が、第４実施例の閉ループ冷媒サイクルと同一の経路を循環できるように構成しながらも、第１圧縮機（１２０）または第１冷却器（１３０）が故障した場合、第４実施例より容易に第２圧縮機（１２２）と第２冷却器（１３２）を通過した蒸発ガスを燃料需要先（１８０）に燃料として供給することができる。
【０２３６】
以下、第１圧縮機（１２０）と第１冷却器（１３０）が正常的に動作する時を「平常時」といい、第１圧縮機（１２０）または第１冷却器（１３０）が故障した場合を「非常時」と称する。
【０２３７】
すなわち、本実施例によれば、第２熱交換器（１４０）で冷媒として使用される流体が、再循環ライン（Ｌ５）と第２供給ライン（Ｌ２）に沿って、追加圧縮機（１２４）、追加冷却器（１３４）、第２圧縮機（１２２）、第２冷却器（１３２）、第２熱交換器（１４０）、冷媒減圧装置（１６０）、再び第２熱交換器（１４０）を通過した後、再び追加圧縮機（１２４）に送られるため、第４実施例の閉ループ冷媒サイクルと同一の冷媒サイクルを循環する。
【０２３８】
また、第４実施例によれば、非常時に第２供給ライン（Ｌ２）に沿って燃料需要先（１８０）に供給される蒸発ガスは、追加圧縮機（１２４）と第２圧縮機（１２２）の両方によって圧縮されてから燃料需要先（１８０）に供給されるため、第２圧縮機（１２２）が第１圧縮機（１２０）と同様の性能を有する場合、非常時に第２供給ライン（Ｌ２）に沿って燃料需要先（１８０）に供給される蒸発ガスの圧力が、平常時に第１供給ライン（Ｌ１）に沿って燃料需要先（１８０）に供給される蒸発ガスの圧力より高いことができる。
【０２３９】
したがって、第４実施例によれば、非常時に第２供給ライン（Ｌ２）に沿って燃料需要先（１８０）に供給される蒸発ガスの圧力を、平常時に第１供給ライン（Ｌ１）に沿って燃料需要先（１８０）に供給される蒸発ガスの圧力と同様に合わせるため、別の制御が必要となることと、第２圧縮機（１２２）を冗長性としてに活用することが困難な場合が生じることがある。
【０２４０】
一方、本実施例によれば、非常時に第２供給ライン（Ｌ２）に沿って燃料需要先（１８０）に供給される蒸発ガスは、追加圧縮機（１２４）によって圧縮されず、第２圧縮機（１２２）のみによって圧縮され燃料需要先（１８０）に供給されるため、第２圧縮機（１２２）が第１圧縮機（１２０）と同一性能を有する場合、非常時に追加的な圧力調節なしで容易に第２供給ライン（Ｌ２）を介して燃料需要先（１８０）に蒸発ガスを供給することができる。
【０２４１】
本実施例の第１減圧装置（１５０）は、第４実施例と同様に、復帰ライン（Ｌ３）上に設置され、第１熱交換器（１１０）と第２熱交換器（１４０）によって冷却された蒸発ガスを膨張させる。本実施例の第１減圧装置（１５０）は、蒸発ガスを膨張させて冷却できるすべての手段を備えて、ジュール−トムソン（Ｊｏｕｌｅ−Ｔｈｏｍｓｏｎ）バルブなどの膨張バルブまたは膨張機であり得る。
【０２４２】
本実施例における船舶は、第４実施例と同様に、第１減圧装置（１５０）の下流の復帰ライン（Ｌ３）上に設置され、第１減圧装置（１５０）から排出される気液混合物を気体成分と液体成分に分離する気液分離器（１７０）を備えることができる。
【０２４３】
第４実施例と同様に、本実施例における船舶が気液分離器（１７０）を備えない場合には、第１減圧装置（１５０）を通過した液体状態または気液混合状態の蒸発ガスは直ちに貯蔵タンク（Ｔ）に送られ、本実施例における船舶が気液分離器（１７０）を備える場合には、第１減圧装置（１５０）を通過した蒸発ガスは、気液分離器（１７０）に送られ、気体成分と液体成分に分離される。気液分離器（１７０）によって分離された液体成分は、復帰ライン（Ｌ３）に沿って貯蔵タンク（Ｔ）に復帰し、気液分離器（１７０）によって分離された気体成分は、気液分離器（１７０）から第１熱交換器（１１０）の上流の第１供給ライン（Ｌ１）まで延長される気体排出ライン（Ｌ４）に沿って、第１熱交換器（１１０）に供給される。
【０２４４】
本実施例における船舶が気液分離器（１７０）を備える場合、第４実施例と同様に、気液分離器（１７０）によって分離されて貯蔵タンク（Ｔ）に送られる液体の流量を調節する第７バルブ（１９７）；及び気液分離器（１７０）によって分離され第１熱交換器（１１０）に送られる気体の流量を調節する第８バルブ（１９８）；をさらに備えることができる。
【０２４５】
ただし、本実施例における船舶は、第４実施例とは異なり、第１追加ライン（Ｌ６）を備えず、第１供給ライン（Ｌ１）から分岐した第２供給ライン（Ｌ２）が、再循環ライン（Ｌ５）ではなく、第１供給ライン（Ｌ１）と再び合流する。また、再循環ライン（Ｌ５）が、第１供給ライン（Ｌ１）ではなく、第２冷却器（１３２）と第４バルブ（１９４）との間の第２供給ライン（Ｌ２）から分岐された後、第１供給ライン（Ｌ１）ではなく第３バルブ（１９３）と第２圧縮機（１２２）との間の第２供給ライン（Ｌ２）と再び合流する。
【０２４６】
また、本実施例における船舶は、第４実施例とは異なり、第６バルブ（１９６）を備えない。
【０２４７】
本実施例では、第１熱交換器（１１０）を含み、貯蔵タンク（Ｔ）から排出された蒸発ガスが第１熱交換器（１１０）で熱交換された後、第１圧縮機（１２０）または第２圧縮機（１２２）に供給された場合を説明したが、本発明の船舶は、第１熱交換器（１１０）を備えず、貯蔵タンク（Ｔ）から排出された蒸発ガスは、直ちに第１圧縮機（１２０）又は第２圧縮機（１２２）に供給され、復帰ライン（Ｌ３）に沿って再液化過程を経る蒸発ガスは、推進圧縮機（１２６）によって圧縮されて直ちに第２熱交換器（１４０）に送られることもできる。後述の第６実施例も同様である。
【０２４８】
また、本実施例では、再循環ライン（Ｌ５）に沿って循環する流体が第２熱交換器（１４０）を１次的に通過し冷媒減圧装置（１６０）によって膨張された後、再び第２熱交換器（１４０）で供給される場合を説明したが、本発明の再循環ライン（Ｌ５）に沿って循環する流体は、第２供給ライン（Ｌ２）から分岐されて直ちに冷媒減圧装置（１６０）によって膨張された後、第２熱交換器（１４０）に送られることもできる。後述する第６実施例も同様である。
【０２４９】
本実施例の第１ないし第５バルブ、第７ないし第９バルブ、第１１バルブ及び第１２バルブ（１９１、１９２、１９３、１９４、１９５、１９７、１９８、２０１、２０３、２０５）は、システムの運用状況を人が直接判断して、手動で調整することと、予めに設定された値によって開閉されるように自動的に調整することとができる。
【０２５０】
本実施例の冷媒サイクルは閉ループで運用されることが好ましく、以下、バルブ調節を介して、本実施例の冷媒サイクルを閉ループで運用する方法を説明する。
【０２５１】
本実施例における船舶の冷媒サイクルを閉ループで運用するために、まず、第１バルブ（１９１）、第２バルブ（１９２）、第３バルブ（１９３）、第４バルブ（１９４）、第５バルブ（１９５）、第９バルブ（２０１）及び第１２バルブ（２０５）を開いた状態でシステムを駆動させる。
【０２５２】
貯蔵タンク（Ｔ）から排出され第２圧縮機（１２２）によって圧縮された蒸発ガスが再循環ライン（Ｌ５）に供給されると、第３バルブ（１９３）及び第４バルブ（１９４）を閉じて、蒸発ガスが第２圧縮機（１２２）、第２冷却器（１３２）、第１２バルブ（２０５）、第２熱交換器（１４０）、冷媒減圧装置（１６０）、再び第２熱交換器（１４０）、追加圧縮機（１２４）、追加冷却器（１３４）及び第９バルブ（２０１）を循環する閉ループの冷媒サイクルを形成させる。
【０２５３】
冷媒サイクルを閉ループで構成する場合には、窒素ガスを閉ループを循環する冷媒として使用することもできる。この場合、本実施例の貯蔵タンク（Ｔ）は、窒素ガスを閉ループの冷媒サイクル内に導入させる配管をさらに備える。
【０２５４】
冷媒サイクルが閉ループで運用される場合、閉ループを循環する蒸発ガスのみ第２熱交換器（１４０）における冷媒として使用され、第１圧縮機（１２０）を通過した蒸発ガスは、冷媒サイクルに導入されることができず、燃料需要先（１８０）に供給されるか、復帰ライン（Ｌ３）に沿って再液化過程を経ることになる。したがって、再液化量や燃料需要先（１８０）で要求される蒸発ガス量に関係なく、一定流量の蒸発ガスが第２熱交換器（１４０）の冷媒として循環される。
【０２５５】
本実施例の冷媒サイクルが閉ループで運用される場合、開ループまたは独立開ループで運用される場合に比べて、再液化過程を経る蒸発ガスと冷媒として使用される蒸発ガスのそれぞれの流量を制御することが容易であるという利点がある。
【０２５６】
本実施例における船舶の冷媒サイクルが閉ループで運用される場合の蒸発ガスの流れを以下のように説明する。
【０２５７】
貯蔵タンク（Ｔ）から排出された蒸発ガスは、第１熱交換器（１１０）を通過した後、第１圧縮機（１２０）によって圧縮され、第１冷却器（１３０）によって冷却された後、一部は燃料需要先（１８０）に送られ、残りの一部は復帰ライン（Ｌ３）に沿って再液化過程を経ることになる。
【０２５８】
貯蔵タンク（Ｔ）から排出されて第１熱交換器（１１０）を通過した蒸発ガスは、約１ｂａｒであり、約１ｂａｒの蒸発ガスは、第１圧縮機（１２０）によって圧縮されて約１７ｂａｒになり得る。第１圧縮機（１２０）によって圧縮された蒸発ガスの圧力は、システムが必要とする再液化性能とシステムの運用状況に応じて可変的である。
【０２５９】
復帰ライン（Ｌ３）に沿って再液化過程を経る蒸発ガスは、推進圧縮機（１２６）によって圧縮されて推進冷却器（１３６）によって冷却された後、第１熱交換器（１１０）によって貯蔵タンク（Ｔ）から排出された蒸発ガスと熱交換されて冷却される。第１熱交換器（１１０）によって冷却された蒸発ガスは第２熱交換器（１４０）で熱交換され、さらに冷却された後、第１減圧装置（１５０）によって膨張され、一部または全部が再液化される。
【０２６０】
本実施例における船舶が気液分離器（１７０）を備えない場合には、一部または全部再液化された蒸発ガスは直ちに貯蔵タンク（Ｔ）に送られ、本実施例における船舶が気液分離器（１７０）を備える場合には、一部または全部再液化された蒸発ガスは、気液分離器（１７０）に送られる。気液分離器（１７０）によって分離された気体は、貯蔵タンク（Ｔ）から排出される蒸発ガスと合流して第１熱交換器（１１０）に送られ、気液分離器（１７０）によって分離された液体は貯蔵タンク（Ｔ）に送られる。
【０２６１】
一方、冷媒サイクルを循環する蒸発ガスは、追加圧縮機（１２４）によって圧縮されて追加冷却器（１３４）によって冷却された後、第２圧縮機（１２２）によってさらに圧縮されて第２冷却器（１３２）によって冷却されて、再循環ライン（Ｌ５）に沿って第２熱交換器（１４０）に送られる。追加圧縮機（１２４）と第２圧縮機（１２２）を通過して第２熱交換器（１４０）に送られた蒸発ガスは、第２熱交換器（１４０）で１次的に熱交換されて冷却された後、冷媒減圧装置（１６０）に送られ、２次的に膨張されて冷却される。
【０２６２】
追加圧縮機（１２４）によって圧縮された蒸発ガスは約２ｂａｒであり、約２ｂａｒの蒸発ガスは、第２圧縮機（１２２）によって圧縮されて約３２ｂａｒになる。追加圧縮機（１２４）によって圧縮された蒸発ガスの圧力と第２圧縮機（１２２）によって圧縮された蒸発ガスの圧力は、システムが必要とする再液化性能とシステムの運用状況に応じて可変的である。
【０２６３】
冷媒減圧装置（１６０）を通過した蒸発ガスは、再び第２熱交換器（１４０）に送られ、第１熱交換器（１１０）を通過して復帰ライン（Ｌ３）に沿って第２熱交換器（１４０）に供給された蒸発ガス；及び追加圧縮機（１２４）と第２圧縮機（１２２）によって圧縮されて再循環ライン（Ｌ５）に沿って第２熱交換器（１４０）に供給された蒸発ガス；を冷却する冷媒として使用される。冷媒減圧装置（１６０）を通過して第２熱交換器（１４０）で冷媒として使用された蒸発ガスは、再び追加圧縮機（１２４）に送られ、上述した一連の過程を繰り返す。
【０２６４】
本実施例における船舶の冷媒サイクルが閉ループで運用される間に、第１圧縮機（１２０）または第１冷却器（１３０）が故障すると、第１バルブ（１９１）、第２バルブ（１９２）、第９バルブ（２０１）及び第１２バルブ（２０５）は閉じ、第３バルブ（１９３）及び第４バルブ（１９４）は開いて、貯蔵タンク（Ｔ）から排出されて第１熱交換器（１１０）を通過した蒸発ガスが、第３バルブ（１９３）、第２圧縮機（１２２）、第２冷却器（１３２）及び第４バルブ（１９４）を通過して燃料需要先（１８０）に供給されるように構成する。
【０２６５】
図７は、本発明の第６実施例に係る船舶の蒸発ガス処理システムを概略的に示した構成図である。
【０２６６】
図７に示された第６実施例における船舶は、図６に示された第５実施例の船舶に比べて、第２追加ライン（Ｌ１１）、第２追加ライン（Ｌ１１）上に設置される第１３バルブ（２０６）、第３追加ライン（Ｌ１２）、第３追加ライン（Ｌ１２）上に設置される第１４バルブ（２０７）、第４追加ライン（Ｌ１３）および第４追加ライン（Ｌ１３）上に設置される第１５バルブ（２０８）をさらに備える相違点があり、以下において相違点を中心に説明する。前述した第５実施例の船舶と同一部材については、詳細な説明は省略する。
【０２６７】
図７を参照すると、本実施例における船舶は、第５実施例と同様に、第１熱交換器（１１０）、第１バルブ（１９１）、第１圧縮機（１２０）、第１冷却器（１３０）、第２バルブ（１９２）、第３バルブ（１９３）、第２圧縮機（１２２）、第２冷却器（１３２）、第４バルブ（１９４）、推進圧縮機（１２６）、推進冷却器（１３６）、第２熱交換器（１４０）、冷媒減圧装置（１６０）、追加圧縮機（１２４）、追加冷却器（１３４）、第９バルブ（２０１）、第１２バルブ（２０５）及び第１減圧装置（１５０）を備える。
【０２６８】
本実施例の第１熱交換器（１１０）は、第５実施例と同様に、貯蔵タンク（Ｔ）から排出された蒸発ガスを冷媒として使用して、復帰ライン（Ｌ３）に沿って第１熱交換器（１１０）で送られた蒸発ガスを冷却する。すなわち、第１熱交換器（１１０）は、貯蔵タンク（Ｔ）から排出された蒸発ガスの冷熱を回収して、回収した冷熱を復帰ライン（Ｌ３）に沿って第１熱交換器（１１０）に送られた蒸発ガスに供給する。復帰ライン（Ｌ３）上に蒸発ガスの流量と開閉を調節する第５バルブ（１９５）が設置され得る。
【０２６９】
本実施例の第１圧縮機（１２０）は、第５実施例と同様に、第１供給ライン（Ｌ１）上に設置されて貯蔵タンク（Ｔ）から排出された蒸発ガスを圧縮し、本実施例の第２圧縮機（１２２）は、第５実施例と同様に、第２供給ライン（Ｌ２）上に第１圧縮機（１２０）と並列に設置されて貯蔵タンク（Ｔ）から排出された蒸発ガスを圧縮する。第１圧縮機（１２０）と第２圧縮機（１２２）は、同じ性能の圧縮機であり、それぞれ多段圧縮機である。
【０２７０】
本実施例の第１圧縮機（１２０）と第２圧縮機（１２２）は、第５実施例と同様に、燃料需要先（１８０）が必要とする圧力まで蒸発ガスを圧縮できる。また、燃料需要先（１８０）は、複数の種類のエンジンを備える場合には、より高い圧力を必要するエンジン（以下、「高圧エンジン」という。）の要求圧力に合わせて蒸発ガスを圧縮した後、一部は高圧エンジンに供給し、他の一部は、より低い圧力を必要とするエンジン（以下、「低圧エンジン」という。）の上流に設置された減圧装置により減圧させた後、低圧エンジンに供給することができる。そのほかにも、第１熱交換器（１１０）と第２熱交換器（１４０）における再液化効率と再液化量を高めるために、蒸発ガスを第１圧縮機（１２０）または第２圧縮機（１２２）によって燃料需要先（１８０）が必要する圧力以上の高圧で圧縮し、燃料需要先（１８０）の上流には減圧装置を設置して、高圧で圧縮された蒸発ガスの圧力を燃料需要先（１８０）が要求する圧力まで下げた後、燃料需要先（１８０）に供給することもできる。
【０２７１】
本実施例における船舶は、第５実施例と同様に、燃料需要先（１８０）の上流に設置されて、燃料需要先（１８０）に送られる蒸発ガスの流量と開閉を調節する第１１バルブ（２０３）をさらに備えることができる。
【０２７２】
本実施例の第１冷却器（１３０）は、第５実施例と同様に、第１圧縮機（１２０）の下流に設置されて、第１圧縮機（１２０）を通過しながら圧力だけでなく温度も上がった蒸発ガスを冷却する。本実施例の第２冷却器（１３２）は、第５実施例と同様に、第２圧縮機（１２２）の下流に設置されて、第２圧縮機（１２２）を通過しながら圧力だけでなく温度も上がった蒸発ガスを冷却する。
【０２７３】
本実施例の推進圧縮機（１２６）は、第５実施例と同様に、復帰ライン（Ｌ３）上に設置されて、復帰ライン（Ｌ３）に沿って第１熱交換器（１１０）に供給される蒸発ガスの圧力を高める。推進圧縮機（１２６）は、蒸発ガスを臨界点（メタンの場合、約５５ｂａｒ）以下の圧力まで圧縮することと、臨界点を超える圧力まで圧縮することが可能であり、本実施例の推進圧縮機（１２６）が蒸発ガスを臨界点以上まで圧縮する場合、約３００ｂａｒに圧縮できる。
【０２７４】
本実施例の推進冷却器（１３６）は、第５実施例と同様に、推進圧縮機（１２６）の下流の復帰ライン（Ｌ３）上に設置されて、推進圧縮機（１２６）を通過しながら圧力だけでなく温度も上がった蒸発ガスの温度を下げる。
【０２７５】
本実施例における船舶は、推進圧縮機（１２６）をさらに備えるため、第５実施例と同様に、再液化過程を経る蒸発ガスの圧力を高めて再液化量と再液化効率を高めることができ、冗長性の概念を十分に確保することができ、運用費用を低減することができる。
【０２７６】
本実施例の第２熱交換器（１４０）は、第５実施例と同様に、復帰ライン（Ｌ３）に沿って第１熱交換器（１１０）に供給されて、第１熱交換器（１１０）によって冷却された蒸発ガスをさらに冷却する。
【０２７７】
本実施例によれば、第５実施例と同様に、貯蔵タンク（Ｔ）から排出された蒸発ガスが第１熱交換器（１１０）だけでなく、第２熱交換器（１４０）でさらに冷却されて、より低温の状態で第１減圧装置（１５０）に供給されることができるため、再液化効率と再液化量が高くなる。
【０２７８】
本実施例の冷媒減圧装置（１６０）は、第５実施例と同様に、第２熱交換器（１４０）を通過した蒸発ガスを膨張させた後、再び第２熱交換器（１４０）に送る。
【０２７９】
本実施例の追加圧縮機（１２４）は、第５実施例と同様に、再循環ライン（Ｌ５）上に設置されて、冷媒減圧装置（１６０）と第２熱交換器（１４０）を通過した流体を圧縮する。また、本実施例の追加圧縮機（１２４）は、第５実施例と同様に、冷媒減圧装置（１６０）が流体を膨張させながら生産する動力によって駆動され、冷媒減圧装置（１６０）と追加圧縮機（１２４）は圧伸機（Ｃｏｍｐａｎｄｅｒ、９００）を形成することができる。追加圧縮機（１２４）は、第２圧縮機（１２２）より小容量であることと、冷媒減圧装置（１６０）が生産する動力によって駆動できる容量であることができる。
【０２８０】
本実施例によれば、第５実施例と同様に、冷媒減圧装置（１６０）が生産する動力を活用することができ、第１圧縮機（１２０）または第２圧縮機（１２２）より小容量の追加圧縮機（１２４）を追加することにより、低費用で再液化効率と再液化量を高めることができる。
【０２８１】
本実施例の追加冷却器（１３４）は、第５実施例と同様に、再循環ライン（Ｌ５）上の追加圧縮機（１２４）の下流に設置されて、追加圧縮機（１２４）によって圧縮されて圧力だけでなく温度も高くなった蒸発ガスの温度を下げる。
【０２８２】
本実施例では、第５実施例と同様に、追加圧縮機（１２４）と追加冷却器（１３４）を再循環ライン（Ｌ５）上に設置して、第２熱交換器（１４０）で冷媒として使用される流体が、第４実施例の閉ループ冷媒サイクルと同一経路を循環できるようにしながらも、第１圧縮機（１２０）または第１冷却器（１３０）が故障した場合、第４実施例より容易に、第２圧縮機（１２２）と第２冷却器（１３２）を通過した蒸発ガスを燃料需要先（１８０）に燃料として供給することができる。また、後述のように、第２圧縮機（１２２）によって圧縮された蒸発ガスを燃料需要先（１８０）に供給するようにシステムを運用している間に、第２圧縮機（１２２）または第２冷却器（１３２）が故障した場合、第４実施例より容易に、第１圧縮機（１２０）と第１冷却器（１３０）を通過した蒸発ガスを燃料需要先（１８０）に燃料として供給することができる。
【０２８３】
本実施例の第１減圧装置（１５０）は、第５実施例と同様に、復帰ライン（Ｌ３）上に設置されて、第１熱交換器（１１０）と第２熱交換器（１４０）によって冷却された蒸発ガスを膨張させる。本実施例の第１減圧装置（１５０）は、蒸発ガスを膨張させて冷却させることができるすべての手段を備え、ジュール−トムソン（Ｊｏｕｌｅ−Ｔｈｏｍｓｏｎ）バルブなどの膨張バルブまたは膨張機であり得る。
【０２８４】
本実施例における船舶は、第５実施例と同様に、第１減圧装置（１５０）の下流の復帰ライン（Ｌ３）上に設置され、第１減圧装置（１５０）から排出される気液混合物を気体成分と液体成分に分離する気液分離器（１７０）を備えることができる。
【０２８５】
第５実施例と同様に、本実施例における船舶が気液分離器（１７０）を備えない場合には、第１減圧装置（１５０）を通過した液体状態または気液混合状態の蒸発ガスは直ちに貯蔵タンク（Ｔ）に送られ、本実施例における船舶が気液分離器（１７０）を備える場合には、第１減圧装置（１５０）を通過した蒸発ガスは気液分離器（１７０）に送られ、気体成分と液体成分に分離される。気液分離器（１７０）によって分離された液体成分は復帰ライン（Ｌ３）に沿って貯蔵タンク（Ｔ）に復帰し、気液分離器（１７０）によって分離された気体成分は気液分離器（１７０）から第１熱交換器（１１０）の上流の第１供給ライン（Ｌ１）まで延長される気体排出ライン（Ｌ４）に沿って、第１熱交換器（１１０）に供給される。
【０２８６】
本実施例における船舶が気液分離器（１７０）を備える場合、第５実施例と同様に、気液分離器（１７０）によって分離されて貯蔵タンク（Ｔ）に送られる液体の流量を調節する第７バルブ（１９７）；及び気液分離器（１７０）によって分離されて第１熱交換器（１１０）に送られる気体の流量を調節する第８バルブ（１９８）；をさらに備えることができる。
【０２８７】
また、本実施例における船舶は、第５実施例と同様に、第１追加ライン（Ｌ６）を含まず、第１供給ライン（Ｌ１）から分岐した第２供給ライン（Ｌ２）が第１供給ライン（Ｌ１）と再び合流し、再循環ライン（Ｌ５）が、第２冷却器（１３２）と第４バルブ（１９４）との間の第２供給ライン（Ｌ２）から分岐した後、第３バルブ（１９３）と第２圧縮機（１２２）との間の第２供給ライン（Ｌ２）と再び合流する。
【０２８８】
ただし、本実施例における船舶は、第５実施例と異なり、第２追加ライン（Ｌ１１）；第２追加ライン（Ｌ１１）上に設置される第１３バルブ（２０６）；第３追加ライン（Ｌ１２）；第３追加ライン（Ｌ１２）上に設置される第１４バルブ（２０７）；第４追加ライン（Ｌ１３）；及び第４追加ライン（Ｌ１３）上に設置される第１５バルブ（２０８）；を備える。
【０２８９】
本実施例の第２追加ライン（Ｌ１１）は、追加冷却器（１３４）と第９バルブ（２０１）との間の再循環ライン（Ｌ５）から分岐されて、第１バルブ（１９１）と第１圧縮機（１２０）との間の第１供給ライン（Ｌ１）に合流する。
【０２９０】
本実施例の第３追加ライン（Ｌ１２）は、第１冷却器（１３０）と第２バルブ（１９２）との間の第１供給ライン（Ｌ１）から分岐されて、第１２バルブ（２０５）と第２熱交換器（１４０）との間の再循環ライン（Ｌ５）に合流する。
【０２９１】
本実施例の第４追加ライン（Ｌ１３）は、第２冷却器（１３２）と第４バルブ（１９４）との間の第２供給ライン（Ｌ２）から分岐されて、第５バルブ（１９５）と推進圧縮機（１２６）との間の復帰ライン（Ｌ３）に合流する。
【０２９２】
本実施例によれば、第５実施例と異なり、第１圧縮機（１２０）と第２圧縮機（１２２）の両方を、冷媒サイクルに供給される蒸発ガスを圧縮する用途；または燃料需要先（１８０）に供給される蒸発ガスを圧縮する用途；を選択的に使用することができる。また、本実施例によれば、第５実施例と異なり、第１供給ライン（Ｌ１）から分岐される蒸発ガスだけでなく、第２供給ライン（Ｌ２）から分岐される蒸発ガスも選択的に復帰ライン（Ｌ３）に沿って再液化過程を経るように構成することができる。
【０２９３】
すなわち、第５実施例によれば、平常時に第１圧縮機（１２０）によって圧縮された蒸発ガスは、燃料需要先（１８０）に送られるか、復帰ライン（Ｌ３）に沿って再液化過程を経ることになり、第２圧縮機（１２２）によって圧縮された蒸発ガスは、冷媒サイクルを循環し、第１圧縮機（１２０）と第２圧縮機（１２２）の用途をお互い変更することはできなかった。
【０２９４】
一方、本実施例によれば、第１圧縮機（１２０）と第２圧縮機（１２２）のいずれかを選択して、燃料需要先（１８０）や復帰ライン（Ｌ３）に蒸発ガスを供給するように構成して、燃料需要先（１８０）まで蒸発ガスを供給しない他の圧縮機で圧縮された蒸発ガスによって冷媒サイクルを循環させることができる。したがって、本実施例によれば、第５実施例に比べてシステムの運用が自由であるという長所がある。
【０２９５】
本実施例の第１ないし第５バルブ（１９５）、第７ないし第９のバルブ、第１１バルブないし第１５バルブ（１９１、１９２、１９３、１９４、１９５、１９７、１９８、２０１、２０３、２０５、２０６、２０７、２０８）は、システムの運用状況を人が直接判断して、手動で調整することと、予め設定された値によって開閉されるように自動的に調整することができる。
【０２９６】
本実施例の冷媒サイクルは閉ループの運用が好ましく、以下、バルブ制御を介して、本実施例の冷媒サイクルを閉ループで運用する方法を説明する。
【０２９７】
本実施例における船舶の冷媒サイクルを閉ループで運用して、第１圧縮機（１２０）によって圧縮された蒸発ガスを燃料需要先（１８０）に送り、第２圧縮機（１２２）によって圧縮された蒸発ガスで冷媒サイクルを循環させるために、まず、第１バルブ（１９１）、第２バルブ（１９２）、第３バルブ（１９３）、第４バルブ（１９４）、第５バルブ（１９５）、第９バルブ（２０１）及び第１２バルブ（２０５）は開いて、第１３バルブ（２０６）、第１４バルブ（２０７）及び第１５バルブ（２０８）は閉じた状態でシステムを駆動させる。
【０２９８】
貯蔵タンク（Ｔ）から排出されて第２圧縮機（１２２）によって圧縮された蒸発ガスが再循環ライン（Ｌ５）に供給されると、第３バルブ（１９３）及び第４バルブ（１９４）を閉じて、蒸発ガスが第２圧縮機（１２２）、第２冷却器（１３２）、第１２バルブ（２０５）、第２熱交換器（１４０）、冷媒減圧装置（１６０）、再び第２熱交換器（１４０）、追加圧縮機（１２４）、追加冷却器（１３４）、及び第９のバルブ（２０１）を循環する、閉ループの冷媒サイクルを形成させる。
【０２９９】
冷媒サイクルを閉ループで構成する場合には、窒素ガスを閉ループを循環する冷媒として使用することもできる。この場合、本実施例の貯蔵タンク（Ｔ）は、窒素ガスを閉ループの冷媒サイクル内に導入させる配管をさらに備えることができる。
【０３００】
冷媒サイクルが閉ループで運用される場合、閉ループを循環する蒸発ガスのみ第２熱交換器（１４０）における冷媒として使用され、第１圧縮機（１２０）を通過した蒸発ガスは冷媒サイクルに導入されることができず、燃料需要先（１８０）に供給されるか、復帰ライン（Ｌ３）に沿って再液化過程を経ることになる。したがって、再液化量や燃料需要先（１８０）で要求される蒸発ガス量に関係なく、一定流量の蒸発ガスが第２熱交換器（１４０）の冷媒として循環される。
【０３０１】
本実施例の冷媒サイクルが閉ループで運用される場合、開ループまたは独立開ループで運用される場合に比べて、再液化過程を経る蒸発ガスと冷媒として使用される蒸発ガスのそれぞれの流量の制御が容易であるという利点がある。
【０３０２】
本実施例における船舶の冷媒サイクルを閉ループで運用し、第１圧縮機（１２０）によって圧縮された蒸発ガスを燃料需要先（１８０）に送り、第２圧縮機（１２２）によって圧縮された蒸発ガスで冷媒サイクルを循環させる場合、蒸発ガスの流れを以下のように説明する。
【０３０３】
貯蔵タンク（Ｔ）から排出された蒸発ガスは、第１熱交換器（１１０）を通過した後、第１圧縮機（１２０）によって圧縮され、第１冷却器（１３０）によって冷却された後、一部は燃料需要先（１８０）に送られ、残りの一部は復帰ライン（Ｌ３）に沿って再液化過程を経ることになる。
【０３０４】
貯蔵タンク（Ｔ）から排出されて第１熱交換器（１１０）を通過した蒸発ガスは、約１ｂａｒであり、約１ｂａｒの蒸発ガスは、第１圧縮機（１２０）によって圧縮されて約１７ｂａｒになる。第１圧縮機（１２０）によって圧縮された蒸発ガスの圧力は、システムから必要される再液化性能とシステムの運用状況に応じて可変的である。
【０３０５】
復帰ライン（Ｌ３）に沿って再液化過程を経る蒸発ガスは、推進圧縮機（１２６）によって圧縮されて推進冷却器（１３６）によって冷却された後、第１熱交換器（１１０）によって貯蔵タンク（Ｔ）から排出された蒸発ガスと熱交換されて冷却される。第１熱交換器（１１０）によって冷却された蒸発ガスは、第２熱交換器（１４０）で熱交換されてさらに冷却された後、第１減圧装置（１５０）によって膨張され、一部または全部が再液化される。
【０３０６】
本実施例における船舶が気液分離器（１７０）を備えない場合には、一部または全部再液化された蒸発ガスは直ちに貯蔵タンク（Ｔ）に送られ、本実施例における船舶が気液分離器（１７０）を備える場合には、一部または全部再液化された蒸発ガスは、気液分離器（１７０）に送られる。気液分離器（１７０）によって分離された気体は、貯蔵タンク（Ｔ）から排出される蒸発ガスと合流して第１熱交換器（１１０）に送られ、気液分離器（１７０）によって分離された液体は貯蔵タンク（Ｔ）に送られる。
【０３０７】
一方、冷媒サイクルを循環する蒸発ガスは、追加圧縮機（１２４）によって圧縮されて追加冷却器（１３４）によって冷却された後、第２圧縮機（１２２）によってさらに圧縮されて第２冷却器（１３２）により冷却されて、再循環ライン（Ｌ５）に沿って第２熱交換器（１４０）に送られる。追加圧縮機（１２４）と第２圧縮機（１２２）を通過して第２熱交換器（１４０）に送られた蒸発ガスは、第２熱交換器（１４０）で１次的に熱交換されて冷却された後、冷媒減圧装置（１６０）に送られ、２次的に膨張されて冷却される。
【０３０８】
追加圧縮機（１２４）によって圧縮された蒸発ガスは約２ｂａｒであり、約２ｂａｒの蒸発ガスは、第２圧縮機（１２２）によって圧縮されて約３２ｂａｒになる。追加圧縮機（１２４）によって圧縮された蒸発ガスの圧力と第２圧縮機（１２２）によって圧縮された蒸発ガスの圧力は、システムが必要とする再液化性能とシステムの運用状況に応じて可変的である。
【０３０９】
冷媒減圧装置（１６０）を通過した蒸発ガスは、再び第２熱交換器（１４０）に送られ、第１熱交換器（１１０）を通過して復帰ライン（Ｌ３）に沿って第２熱交換器（１４０）で供給された蒸発ガス；及び追加圧縮機（１２４）と第２圧縮機（１２２）によって圧縮されて再循環ライン（Ｌ５）に沿って第２熱交換器（１４０）に供給された蒸発ガス；を冷却する冷媒として使用される。冷媒減圧装置（１６０）を通過して第２熱交換器（１４０）で冷媒として使用された蒸発ガスは、再び追加圧縮機（１２４）に送られ、上述した一連の過程を繰り返す。
【０３１０】
本実施例における船舶の冷媒サイクルを閉ループで運用して、第１圧縮機（１２０）によって圧縮された蒸発ガスを燃料需要先（１８０）に送り、第２圧縮機（１２２）によって圧縮された蒸発ガスで冷媒サイクルを循環させる間に、第１圧縮機（１２０）または第１冷却器（１３０）が故障すると、第１バルブ（１９１）、第２バルブ（１９２）、第５バルブ（１９５）、第９バルブ（２０１）及び第１２バルブ（２０５）は閉じ、第３バルブ（１９３）及び第４バルブ（１９４）は開いて、貯蔵タンク（Ｔ）から排出されて第１熱交換器（１１０）を通過した蒸発ガスが、第３バルブ（１９３）、第２圧縮機（１２２）、第２冷却器（１３２）及び第４バルブ（１９４）を経て燃料需要先（１８０）に供給されるように構成する。
【０３１１】
本実施例における船舶の冷媒サイクルを閉ループで運用して、第２圧縮機（１２２）によって圧縮された蒸発ガスを燃料需要先（１８０）に送り、第１圧縮機（１２０）によって圧縮された蒸発ガスで冷媒サイクルを循環させるために、まず、第１バルブ（１９１）、第２バルブ（１９２）、第３バルブ（１９３）、第４バルブ（１９４）、第１３バルブ（２０６）、第１４バルブ（２０７）及び第１５バルブ（２０８）は開いて、第５バルブ（１９５）、第９バルブ（２０１）及び第１２バルブ（２０５）は閉じた状態で、システムを駆動させる。
【０３１２】
貯蔵タンク（Ｔ）から排出されて第１圧縮機（１２０）によって圧縮された蒸発ガスが、第３追加ライン（Ｌ１２）に沿って再循環ライン（Ｌ５）に供給されると、第１バルブ（１９１）と第２バルブ（１９２）を閉じて、蒸発ガスが第１圧縮機（１２０）、第１冷却器（１３０）、第１４バルブ（２０７）、第２熱交換器（１４０）、冷媒減圧装置（１６０）、再び第２熱交換器（１４０）、追加圧縮機（１２４）、追加冷却器（１３４）及び第１３バルブ（２０６）を循環する閉ループの冷媒サイクルを形成させる。
【０３１３】
本実施例における船舶の冷媒サイクルを閉ループで運用して、第２圧縮機（１２２）によって圧縮された蒸発ガスを燃料需要先（１８０）に送り、第１圧縮機（１２０）によって圧縮された蒸発ガスで冷媒サイクルを循環させる場合、蒸発ガスの流れを以下のように説明する。
【０３１４】
貯蔵タンク（Ｔ）から排出された蒸発ガスは、第１熱交換器（１１０）を通過した後、第２圧縮機（１２２）によって圧縮されて、第２冷却器（１３２）によって冷却された後、一部は燃料需要先（１８０）に送られ、残りの一部は、第１５バルブ（２０８）を通過して復帰ライン（Ｌ３）に沿って再液化過程を経ることになる。
【０３１５】
貯蔵タンク（Ｔ）から排出されて第１熱交換器（１１０）を通過した蒸発ガスは、約１ｂａｒであり、約１ｂａｒの蒸発ガスは第２圧縮機（１２２）によって圧縮されて約１７ｂａｒになる。第２圧縮機（１２２）によって圧縮された蒸発ガスの圧力は、システムが必要とする再液化性能とシステムの運用状況に応じて可変的である。
【０３１６】
復帰ライン（Ｌ３）に沿って再液化過程を経る蒸発ガスは、推進圧縮機（１２６）によって圧縮されて推進冷却器（１３６）によって冷却された後、第１熱交換器（１１０）によって貯蔵タンク（Ｔ）から排出された蒸発ガスと熱交換されて冷却される。第１熱交換器（１１０）によって冷却された蒸発ガスは、第２熱交換器（１４０）で熱交換されさらに冷却された後、第１減圧装置（１５０）によって膨張され、一部または全部が再液化される。
【０３１７】
本実施例における船舶が気液分離器（１７０）を備えない場合には、一部または全部再液化された蒸発ガスは直ちに貯蔵タンク（Ｔ）に送られ、本実施例における船舶が気液分離器（１７０）を備える場合には、一部または全部再液化された蒸発ガスは気液分離器（１７０）に送られる。気液分離器（１７０）によって分離された気体は、貯蔵タンク（Ｔ）から排出される蒸発ガスと合流し第１熱交換器（１１０）に送られ、気液分離器（１７０）によって分離された液体は貯蔵タンク（Ｔ）に送られる。
【０３１８】
一方、冷媒サイクルを循環する蒸発ガスは、追加圧縮機（１２４）によって圧縮されて追加冷却器（１３４）によって冷却された後、第１圧縮機（１２０）によってさらに圧縮されて第１冷却器（１３０）により冷却され、第１４バルブ（２０７）を通過して再循環ライン（Ｌ５）に沿って第２熱交換器（１４０）に送られる。追加圧縮機（１２４）と第１圧縮機（１２０）を通過して第２熱交換器（１４０）に送られた蒸発ガスは、第２熱交換器（１４０）で１次的に熱交換されて冷却された後、冷媒減圧装置（１６０）に送られ、２次的に膨張されて冷却される。
【０３１９】
追加圧縮機（１２４）によって圧縮された蒸発ガスは約２ｂａｒであり、約２ｂａｒの蒸発ガスは第１圧縮機（１２０）によって圧縮されて約３２ｂａｒになる。追加圧縮機（１２４）によって圧縮された蒸発ガスの圧力と第１圧縮機（１２０）によって圧縮された蒸発ガスの圧力は、システムが必要とする再液化性能とシステムの運用状況に応じて可変的である。
【０３２０】
冷媒減圧装置（１６０）を通過した蒸発ガスは、再び第２熱交換器（１４０）に送られ、第１熱交換器（１１０）を通過して復帰ライン（Ｌ３）に沿って第２熱交換器（１４０）で供給された蒸発ガス；及び追加圧縮機（１２４）と第１圧縮機（１２０）によって圧縮されて再循環ライン（Ｌ５）に沿って第２熱交換器（１４０）に供給された蒸発ガス；を冷却させる冷媒として使用される。冷媒減圧装置（１６０）を通過して第２熱交換器（１４０）で冷媒として使用された蒸発ガスは、再び追加圧縮機（１２４）に送られ、上述した一連の過程を繰り返す。
【０３２１】
本実施例における船舶の冷媒サイクルを閉ループで運用して、第２圧縮機（１２２）によって圧縮された蒸発ガスを燃料需要先（１８０）に送り、第１圧縮機（１２０）によって圧縮された蒸発ガスに冷媒サイクルを循環させる間に、第２圧縮機（１２２）または第２冷却器（１３２）が故障すると、第３バルブ（１９３）、第４バルブ（１９４）、第１３バルブ（２０６）、第１４バルブ（２０７）及び第１５バルブ（２０８）は閉じ、第１バルブ（１９１）と第２バルブ（１９２）は開いて、貯蔵タンク（Ｔ）から排出されて第１熱交換器（１１０）を通過した蒸発ガスが、第１バルブ（１９１）、第１圧縮機（１２０）、第１冷却器（１３０）及び第２のバルブ（１９２）を経て燃料需要先（１８０）に供給されるように構成する。
【０３２２】
本発明は、前記実施例に限定されず、本発明の技術的要旨を超えない範囲内で多様に変更または変形されて実施され得ることは、本発明が属する技術分野における通常の知識を有する者に自明なことである。
【図１】
2017519672.tif 000003
【図２】
2017519672.tif 000004
【図３】
2017519672.tif 000005
【図４】
2017519672.tif 000006
【図５】
2017519672.tif 000007
【図６】
2017519672.tif 000008
【図７】
2017519672.tif 000009
【図８】
2017519672.tif 000010
【図９】
2017519672.tif 000011
【手続補正書】
【提出日】平成28年9月7日(2016.9.7)
【手続補正１】
【補正対象書類名】明細書
【補正対象項目名】０１８２
【補正方法】変更
【補正の内容】
【０１８２】
また、本実施例の第１供給ライン（Ｌ１）には、一台の圧縮機（１２０）のみ設置されて、第２供給ライン（Ｌ２）には２台の圧縮機（１２２、１２４）が設置されるため、第１供給ライン（Ｌ１）を通過した蒸発ガスと第２供給ライン（Ｌ２）を通過した蒸発ガスの圧力が異なり得る。第１供給ライン（Ｌ１）を通過した蒸発ガスと第２供給ライン（Ｌ２）を通過した蒸発ガスの圧力が異なる場合には、本実施例の冷媒サイクルは閉ループまたは独立開ループで運用されることが好ましい。
【手続補正２】
【補正対象書類名】明細書
【補正対象項目名】０２９５
【補正方法】変更
【補正の内容】
【０２９５】
本実施例の第１ないし第５バルブ、第７ないし第９のバルブ、第１１バルブないし第１５バルブ（１９１、１９２、１９３、１９４、１９５、１９７、１９８、２０１、２０３、２０５、２０６、２０７、２０８）は、システムの運用状況を人が直接判断して、手動で調整することと、予め設定された値によって開閉されるように自動的に調整することができる。
【国際調査報告】
2017519672.tif 000012
2017519672.tif 000013
2017519672.tif 000014
2017519672.tif 000015